(57)【要約】【課題】無段変速機構に対して直列に配列されたクラッチの伝達トルクに所定の余裕を与えるクラッチ係合圧を駆動系統の実際の状態を反映して適正に設定する。【解決手段】無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、滑りに対するクラッチの伝達トルクの余裕を、滑りに対する無段変速機構の伝達トルクの余裕より小さく設定する制御装置であって、前記クラッチに対する入力トルクに応じて予め設定されている係合圧の補正値として、前記クラッチが再係合する係合圧に前記所定の余裕圧を付与して求められた係合圧に基づく学習値を検出する学習値検出手段（ステップＳ４１０〜Ｓ４３０）を備えている。【選択図】  図４
2006038235.tif 000002
【特許請求の範囲】
【請求項１】
無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、
前記クラッチに対する入力トルクに応じて予め設定されている係合圧の補正値として、前記クラッチが再係合する係合圧に前記所定の余裕圧を付与して求められた係合圧に基づく学習値を検出する学習値検出手段を備えていることを特徴とする無段変速機構を含む駆動系統の制御装置。
【請求項２】
前記学習値検出手段は、前記クラッチが再係合する係合圧として、前記クラッチが再係合することに伴う所定の回転部材の回転変化に起因する慣性トルクを含まないように選択した時点の係合圧を採用するように構成されていることを特徴とする請求項１に記載の無段変速機構を含む駆動系統の制御装置。
【請求項３】
前記学習値の偏りを判定する学習値偏り判定手段と、
前記学習値に偏りがあることが前記学習値偏り判定手段によって判定された場合に前記無段変速機構のトルク容量を補正するトルク容量補正手段と
を更に備えていることを特徴とする請求項１または２に記載の無段変速機構を含む駆動系統の制御装置。
【請求項４】
前記トルク容量補正手段は、前記クラッチの係合圧を増大させる方向に前記学習値が偏っている場合に限って前記無段変速機構のトルク容量を補正するように構成されていることを特徴とする請求項３に記載の無段変速機構を含む駆動系統の制御装置。
【請求項５】
無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、
前記クラッチが再係合する係合圧に所定の余裕圧を付与した係合圧で前記クラッチを係合させる制御の終了条件が成立したことを検出する終了検出手段と、
この終了検出手段によって前記終了条件が成立したことが検出された場合に、前記無段変速機構のトルク容量を増大させた後に前記クラッチの係合圧を前記滑りが生じないように増大させる係合圧増大手段と
を備えていることを特徴とする無段変速機構を含む駆動系統の制御装置。
【請求項６】
前記係合圧増大手段は、前記クラッチが滑り状態のときは前記係合圧を所定の勾配で次第に増大させるように構成されていることを特徴とする請求項５に記載の無段変速機構を含む駆動系統の制御装置。
【請求項７】
無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、
前記クラッチの係合圧を、前記クラッチが再係合する際のクラッチ摩擦係数と滑りのない完全係合時のクラッチ摩擦係数との相違に基づいて設定するクラッチ係合圧設定手段を備えていることを特徴とする無段変速機構を含む駆動系統の制御装置。
【請求項８】
前記クラッチ係合圧設定手段は、前記クラッチ摩擦係数を変化させる要因となる物理量に基づいて前記係合圧を設定する手段を含むことを特徴とする請求項７に記載の無段変速機構を含む駆動系統の制御装置。
【請求項９】
無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、
前記クラッチの係合圧を、前記クラッチが再係合する係合圧に所定の余裕圧を付与した係合圧に設定する制御の制御開始油温条件を、前記クラッチが再係合する係合圧に所定の余裕圧を付与した係合圧が既に求められている場合と、未だ求められていない場合とで異ならせる開始条件設定手段を備えていることを特徴とする無段変速機構を含む駆動系統の制御装置。
【請求項１０】
前記開始条件設定手段は、前記クラッチが再係合する係合圧に所定の余裕圧を付与した係合圧が既に求められている場合の制御開始油温を、未だ求められていない場合の制御開始油温より低温に設定する手段を含むことを特徴とする請求項９に記載の無段変速機構を含む駆動系統の制御装置。
【請求項１１】
無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、
前記クラッチのジャダー発生履歴を判定するジャダー発生履歴判定手段と、
前記クラッチのジャダーの発生履歴があることが前記ジャダー発生履歴判定手段で判定された場合には、前記クラッチの係合圧を、前記クラッチが再係合する係合圧に所定の余裕圧を付与した係合圧に設定する制御を禁止するクラッチ係合圧制御禁止手段と
を備えていることを特徴とする無段変速機構を含む駆動系統の制御装置。
【請求項１２】
無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、
前記クラッチのジャダー発生履歴を判定するジャダー発生履歴判定手段と、
前記クラッチのジャダーの発生履歴があることが前記ジャダー発生履歴判定手段で判定された場合には、前記クラッチが再係合する係合圧に所定の余裕圧を付与した係合圧を求める制御を禁止し、前記クラッチが再係合する係合圧に所定の余裕圧を付与した係合圧が既に求められている場合には、その既に求められている係合圧で前記クラッチを係合させる制御を実行する係合圧制御手段と
を備えていることを特徴とする無段変速機構を含む駆動系統の制御装置。
【請求項１３】
無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、
前記クラッチのジャダー発生履歴を判定するジャダー発生履歴判定手段と、
前記クラッチのジャダーの発生履歴があることが前記ジャダー発生履歴判定手段で判定された場合には、前記クラッチの係合圧を変化させる際の変化勾配を、前記ジャダーの発生履歴が判定されない場合より大きくする係合圧変化勾配設定手段を備えていることを特徴とする無段変速機構を含む駆動系統の制御装置。
【発明の詳細な説明】
【技術分野】
【０００１】
この発明は、ベルトやパワーローラなどのトルクの伝達を媒介するトルク伝達部材を、プーリーやディスクなどの回転部材に直接もしくは間接的に接触させ、接触圧力に応じてトルク容量が変化する無段変速機構を含む駆動系統の制御装置に関し、特に無段変速機構に対して直列に配列されたクラッチの係合圧を制御するための制御装置に関するものである。
【背景技術】
【０００２】
無段変速機構は、ベルトやパワーローラなどのトルクの伝達を媒介する部材とプーリーやディスクとの接触位置あるいはトルク伝達位置を連続的に変化させて、変速比を無段階に変更するように構成されている。そのトルクの伝達は、摩擦力あるいはトラクションオイルのせん断力を利用しておこなわれる。したがって、トルクを伝達する部材とプーリーあるいはディスクとの接触圧あるいはトルクを伝達する部材を挟み付ける圧力（すなわち挟圧力）と、摩擦係数あるいはトラクションオイルのせん断力とに基づいて定まるトルク容量（伝達トルク）を超えてトルクが作用すると、ベルトやパワーローラの滑りが生じる。
【０００３】
ベルトやパワーローラの滑りが過剰に生じると、プーリーやディスクに摩耗が生じ、その結果、その摩耗部分でのトルクの伝達ができなくなって無段変速機構としての機能を果たさなくなる。そのため、無段変速機構を搭載した車両の走行中に無段変速機構での滑りが生じないようにするためには、挟圧力を高くしてトルク容量を大きくしておくことが考えられる。
【０００４】
しかしながら、挟圧力を高くすると、無段変速機構での動力の伝達効率が低下し、また油圧を発生させるオイルポンプを駆動するために多くの動力を消費することになるので、車両の燃費が悪化する。したがって、無段変速機構の挟圧力は滑りが生じない範囲で可及的に低くすることが好ましい。
【０００５】
その場合、エンジンの出力トルクや車輪側の負トルクが頻繁にあるいは大きく変化する非定常的な走行状態であれば、無段変速機構に作用するトルクが予測できないので、安全率あるいはトルク容量の余裕代（定常状態で滑りの生じない最小もしくは限界のトルク容量に対するトルク容量の超過量）を大きくしてある程度高い挟圧力に設定せざるを得ない。これに対して定常的あるいは準定常的な走行状態であれば、無段変速機構に作用するトルクが安定するので、滑りが生じる直前の状態まで、挟圧力を下げることができる。
【０００６】
しかしながら、定常的あるいは準定常的な走行状態であっても不測のトルクが生じることがあるので、たとえその場合であっても無段変速機構の滑りを防止もしくは回避する必要がある。そのため、例えば特許文献１に記載された発明では、無段変速機構と直列にクラッチを配置し、そのクラッチの係合力の余裕を無段変速機構における挟圧力の余裕より小さく設定しておき、クラッチの滑りが検出されない場合には、その係合力および挟圧力を低下させ、また反対にクラッチの滑りが検出された場合には、その係合力および挟圧力を共に増大制御するように構成している。ここで、係合圧あるいは挟圧力の余裕とは、定常状態で滑りを生じさせることにない最小もしくは限界の係合圧あるいは挟圧力に対する超過分である。
【０００７】
これは、クラッチおよび無段変速機構を直列に配列した駆動系統に作用するトルクが増大した場合に、クラッチを優先的に滑らせて無段変速機構に作用するトルクを制限し、その結果、無段変速機構の滑りを未然に回避する制御である。言い換えれば、無段変速機構に対して直列に配列されたクラッチをいわゆるトルクヒューズとして機能させる制御である。
【特許文献１】特開平１０−２９３０号公報
【発明の開示】
【発明が解決しようとする課題】
【０００８】
しかしながら、上記の公報に記載された発明では、クラッチの滑りが検出されない場合には、クラッチの係合力と無段変速機構の挟圧力とを低下させ、その結果、クラッチの滑りが検出されるとクラッチの係合力と無段変速機構の挟圧力とを増大させるから、これら係合力および挟圧力の低下と増大とを繰り返しおこなうことになり、それに伴ってクラッチの滑りが繰り返し生じることになる。そのため、上記従来の制御装置では、駆動系統での動力の伝達効率が低下し、燃費が悪化し、あるいは無段変速機構を採用することによる燃費の向上効果が損なわれる可能性がある。
【０００９】
この発明は、上記の技術的課題に着目してなされたものであり、無段変速機構に対して直列に配列されたクラッチの伝達トルクの余裕を適正化でき、また無段変速機構での伝達トルクの余裕に対して相対的に小さい状態に安定的に設定することのできる制御装置を提供することを目的とするものである。
【課題を解決するための手段】
【００１０】
上記の目的を達成するために、この発明は、クラッチに対して負荷されるトルクに対して伝達トルク（トルク容量）の余裕のないクラッチの係合圧を求め、その係合圧に伝達トルクの所定の余裕に相当する値を加えた圧力を、クラッチの係合圧とし、さらにその係合圧に基づいて、予め定められている係合圧の補正値を検出するように構成したことを特徴とするものである。より具体的には、請求項１の発明は、無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、前記クラッチに対する入力トルクに応じて予め設定されている係合圧の補正値として、前記クラッチが再係合する係合圧に前記所定の余裕圧を付与して求められた係合圧に基づく学習値を検出する学習値検出手段を備えていることを特徴とする制御装置である。なお、その学習値は、前記余裕圧を付与した求められた係合圧と予め設定されている係合圧との差として求めてもよい。
【００１１】
請求項２の発明は、請求項１の構成における前記学習値検出手段が、前記クラッチが再係合する係合圧として、前記クラッチが再係合することに伴う所定の回転部材の回転変化に起因する慣性トルクを含まないように選択した時点の係合圧を採用するように構成されていることを特徴とする制御装置である。
【００１２】
請求項３の発明は、請求項１または２の発明において、前記学習値の偏りを判定する学習値偏り判定手段と、前記学習値に偏りがあることが前記学習値偏り判定手段によって判定された場合に前記無段変速機構のトルク容量を補正するトルク容量補正手段とを更に備えていることを特徴とする制御装置である。
【００１３】
請求項４の発明は、請求項３における前記トルク容量補正手段が、前記クラッチの係合圧を増大させる方向に前記学習値が偏っている場合に限って前記無段変速機構のトルク容量を補正するように構成されていることを特徴とする制御装置である。
【００１４】
請求項５の発明は、無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、前記クラッチが再係合する係合圧に所定の余裕圧を付与した係合圧で前記クラッチを係合させる制御の終了条件が成立したことを検出する終了検出手段と、この終了検出手段によって前記終了条件が成立したことが検出された場合に、前記無段変速機構のトルク容量を増大させた後に前記クラッチの係合圧を前記滑りが生じないように増大させる係合圧増大手段とを備えていることを特徴とする制御装置である。
【００１５】
請求項６の発明は、請求項５における前記係合圧増大手段が、前記クラッチが滑り状態のときは前記係合圧を所定の勾配で次第に増大させるように構成されていることを特徴とする制御装置である。
【００１６】
請求項７の発明は、無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、前記クラッチの係合圧を、前記クラッチが再係合する際のクラッチ摩擦係数と滑りのない完全係合時のクラッチ摩擦係数との相違に基づいて設定するクラッチ係合圧設定手段を備えていることを特徴とする制御装置である。
【００１７】
請求項８の発明は、請求項７における前記クラッチ係合圧設定手段が、前記クラッチ摩擦係数を変化させる要因となる物理量に基づいて前記係合圧を設定する手段を含むことを特徴とする制御装置である。
【００１８】
請求項９の発明は、無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、前記クラッチの係合圧を、前記クラッチが再係合する係合圧に所定の余裕圧を付与した係合圧に設定する制御の制御開始油温条件を、前記クラッチが再係合する係合圧に所定の余裕圧を付与した係合圧が既に求められている場合と、未だ求められていない場合とで異ならせる開始条件設定手段を備えていることを特徴とする制御装置である。
【００１９】
請求項１０の発明は、請求項９における前記開始条件設定手段が、前記クラッチが再係合する係合圧に所定の余裕圧を付与した係合圧が既に求められている場合の制御開始油温を、未だ求められていない場合の制御開始油温より低温に設定する手段を含むことを特徴とする制御装置である。
【００２０】
請求項１１の発明は、無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、前記クラッチのジャダー発生履歴を判定するジャダー発生履歴判定手段と、前記クラッチのジャダーの発生履歴があることが前記ジャダー発生履歴判定手段で判定された場合には、前記クラッチの係合圧を、前記クラッチが再係合する係合圧に所定の余裕圧を付与した係合圧に設定する制御を禁止するクラッチ係合圧制御禁止手段とを備えていることを特徴とする制御装置である。
【００２１】
請求項１２の発明は、無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、前記クラッチのジャダー発生履歴を判定するジャダー発生履歴判定手段と、前記クラッチのジャダーの発生履歴があることが前記ジャダー発生履歴判定手段で判定された場合には、前記クラッチが再係合する係合圧に所定の余裕圧を付与した係合圧を求める制御を禁止し、前記クラッチが再係合する係合圧に所定の余裕圧を付与した係合圧が既に求められている場合には、その既に求められている係合圧で前記クラッチを係合させる制御を実行する係合圧制御手段とを備えていることを特徴とする制御装置である。
【００２２】
請求項１３の発明は、無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、前記クラッチのジャダー発生履歴を判定するジャダー発生履歴判定手段と、前記クラッチのジャダーの発生履歴があることが前記ジャダー発生履歴判定手段で判定された場合には、前記クラッチの係合圧を変化させる際の変化勾配を、前記ジャダーの発生履歴が判定されない場合より大きくする係合圧変化勾配設定手段を備えていることを特徴とする制御装置である。
【発明の効果】
【００２３】
したがって請求項１の発明によれば、無段変速機構に対して直列に連結されたクラッチの係合圧を低下させ、その途中でクラッチの滑りが検出されたことにより係合圧を増大させ、その結果としてクラッチを再係合させる係合圧に所定の余裕圧を付与した係合圧が求められる。そのため、無段変速機構に対して直列に連結されたクラッチの係合と滑りとが繰り返えされることを防止でき、また、駆動系統の実際の状態を反映した学習値によって係合圧を補正するので、クラッチの滑りに対する伝達トルクのいわゆる余裕量が適正化され、その結果、無段変速機構での挟圧力を滑りを生じない範囲で可及的に低下して、燃費の向上を図ることができる。
【００２４】
したがって請求項２の発明によれば、請求項１の発明で得られる効果に加えて、過渡的な要因である慣性トルクを排除した状態に対応したクラッチ係合圧が求められるので、係合の緩急による係合圧のばらつきを回避して係合圧を適正化することができる。
【００２５】
したがって請求項３の発明によれば、クラッチの係合圧を決める要因である前記学習値が偏っている場合には、その偏りに基づいて無段変速機構のトルク容量が補正される。ここで学習値の偏りとは、継続的に得られている学習値が連続的に大小いずれかの方向に偏っている状態、あるいは入力トルクを複数の領域に分けるとともにそれらの入力トルク領域ごとにクラッチ係合圧および学習値を設定している場合には、複数のトルク領域での学習値が大小いずれかに偏っている状態などである。学習値の偏りは、クラッチの潤滑油などの摩擦係数に関係する状態の変動が要因になっている場合もあるので、無段変速機構での摩擦係数も同様に変動している可能性を考慮して、そのトルク容量が補正される。その結果、無段変速機構の滑りを確実に防止もしくは抑制することができる。
【００２６】
したがって請求項４の発明によれば、クラッチ係合圧を増大させる方向に前記学習値が偏っている場合に、無段変速機構のトルク容量が増大補正される。これは、摩擦係数が低下している可能性があるからである。また、クラッチ係合圧を低下させる方向に学習値が偏っている場合には、無段変速機構のトルク容量の低下補正はおこなわれない。何らかの異常で低下方向に偏っている場合に無段変速機構のトルク容量を低下させると、無段変速機構に滑りが生じる可能性があるからである。その結果、無段変速機構の滑りを確実に防止もしくは抑制することができる。
【００２７】
したがって請求項５の発明によれば、クラッチにおける滑りが生じるトルクに対する伝達トルクの余裕量を、無段変速機構における滑りが生じるトルクに対する伝達トルクの余裕量より小さい状態に設定する制御の終了条件が成立すると、先ず、無段変速機構のトルク容量が増大させられ、その後に、クラッチのトルク容量が増大させられる。すなわち前記の終了条件は、例えば外乱トルクによるクラッチの滑りであり、その滑りを防止もしくは回避するべくそのトルク容量を増大させる場合には、それに先立って無段変速機構のトルク容量を増大させる。その結果、その過渡状態で外乱トルクが入力された場合には、クラッチに滑りが生じて無段変速機構に作用するトルクが制限されるので、無段変速機構の滑りを確実に回避もしくは防止することができる。
【００２８】
したがって請求項６の発明によれば、クラッチに滑りが生じている状態からその係合圧を増大させる場合、徐々に係合圧が増大させられる。そのため、クラッチの係合圧が増大して滑りが止まることに伴う回転数の変化が緩やかになり、ショックを抑制もしくは防止することができる。
【００２９】
したがって請求項７の発明によれば、クラッチを再係合させた際の係合圧に所定の余裕圧を付与した係合圧でクラッチを係合させる場合、再係合が判定された際の摩擦係数と最終的に滑りのない状態でクラッチが係合する場合の摩擦係数との相違を考慮してクラッチ係合圧が設定されるので、クラッチ係合圧を過不足なく適正に設定することができる。
【００３０】
したがって請求項８の発明によれば、クラッチの摩擦係数を直接検出することに替えて、その摩擦係数を変化させる要因となる物理量、例えば油温やクラッチの潤滑油の劣化の程度（使用期間）などが採用され、その物理量に基づいてクラッチ係合圧が設定され、その結果、クラッチのいわゆるトルクヒューズ制御を好適に実施することができる。
【００３１】
したがって請求項９の発明によれば、伝達トルクのいわゆる余裕が、無段変速機構よりもクラッチで小さくなるように制御するにあたり、クラッチについてその余裕を持った係合圧が既に得られている場合には、得られていない場合とは異なる条件の成立によって、クラッチについての係合圧の設定制御が開始される。その結果、クラッチについての伝達トルクのいわゆる余裕を、無段変速機構の伝達トルクのいわゆる余裕より小さくする制御を、安定的に実行することができる。
【００３２】
したがって請求項１０の発明によれば、クラッチについて設定すべき係合圧が既に求められている場合には、油温が相対的に低い状態で、クラッチの伝達トルクのいわゆる余裕を無段変速機構についての伝達トルクのいわゆる余裕より小さくする制御が開始され、反対にクラッチについて設定すべき係合圧が未だ求められていない場合には、油温が相対的に高い状態まで、クラッチの伝達トルクのいわゆる余裕を無段変速機構についての伝達トルクのいわゆる余裕より小さくする制御が開始されない。なお、その開始すべき制御には、クラッチについての係合圧を学習する制御を含むことができる。その結果、クラッチの係合圧が適正化され、クラッチに滑りが生じたり、あるいはクラッチのトルク容量が過剰に大きくなったりすることが回避もしくは防止され、またクラッチを無段変速機構に対するいわゆるトルクヒューズとして機能させる制御の機会が増大し、その結果、無段変速機構での動力の伝達効率が良好になって燃費を向上させることができる。
【００３３】
したがって請求項１１の発明によれば、クラッチのジャダーの発生履歴が判定された場合には、前記クラッチの係合圧を前記クラッチが再係合する係合圧に所定の余裕圧を付与した係合圧に設定する制御が禁止される。すなわちその禁止される制御では、クラッチの係合圧を低下させて滑りを生じさせ、その後に係合圧を増大させて再係合させる制御が含まれるので、その制御を実施した場合には、ジャダーが再度発生する可能性があるが、クラッチの係合圧の低下およびそれに伴う滑りならびにその後の再係合をおこなう制御自体が禁止されるので、ジャダーの再度の発生を確実に防止することができる。
【００３４】
したがって請求項１２の発明によれば、クラッチにジャダーの発生履歴がある場合、クラッチの伝達トルクのいわゆる余裕を無段変速機構についての伝達トルクのいわゆる余裕より小さくする係合圧が既に求められていれば、その係合圧がクラッチを係合させる制御が実行されるが、その係合圧が求められていない状態であれば、その係合圧を求める制御が禁止される。その結果、ジャダーの発生の可能性が低い状態では、無段変速機構の伝達トルクを低下させて燃費が良好になり、これとは異なり、ジャダーの発生の可能性がある場合には、ジャダーを回避もしくは抑制することができる。
【００３５】
したがって請求項１３の発明によれば、伝達トルクのいわゆる余裕を、クラッチにおいて無段変速機構におけるよりも小さくする制御を実行するにあたり、クラッチについてのジャダーの発生履歴が判定されている場合には、クラッチの係合圧を変化させる際の変化勾配が、相対的に大きくなる。その結果、ジャダーが発生しにくくなり、それに伴って無段変速機構の挟圧力を低くしてその動力の伝達効率を向上させる機会が増えるので、燃費を向上させることができる。
【発明を実施するための最良の形態】
【００３６】
つぎにこの発明を具体例に基づいて説明する。先ず、この発明で対象とする無段変速機構を含む駆動系統について説明すると、この発明は、車両に搭載される駆動系統を対象とすることができ、その駆動系統に含まれる無段変速機構は、ベルトをトルク伝達部材としたベルト式の無段変速機構や、パワーローラをトルク伝達部材とするとともにオイル（トラクション油）のせん断力を利用してトルクを伝達するトロイダル型（トラクション式）無段変速機構である。図２３には、ベルト式無段変速機構１を含む車両用駆動系統の一例を模式的に示しており、この無段変速機構１は、前後進切換機構２およびトルクコンバータ３を介して、動力源４に連結されている。
【００３７】
その動力源４は、一般の車両に搭載されている動力源と同様のものであって、ガソリンエンジンやディーゼルエンジンあるいは天然ガスエンジンなどの内燃機関や、電動機、あるいは内燃機関と電動機とを組み合わせた機構などを採用することができる。なお、以下の説明では、動力源４をエンジン４と記す。
【００３８】
エンジン４の出力軸に連結されたトルクコンバータ３は、従来一般の車両で採用しているトルクコンバータと同様の構造であって、エンジン４の出力軸が連結されたフロントカバー５にポンプインペラー６が一体化されており、そのポンプインペラー６に対向するタービンランナー７が、フロントカバー５の内面に隣接して配置されている。これらのポンプインペラー６とタービンランナー７とには、多数のブレード（図示せず）が設けられており、ポンプインペラー６が回転することによりフルードの螺旋流を生じさせ、その螺旋流をタービンランナー７に送ることによりタービンランナー７にトルクを与えて回転させるようになっている。
【００３９】
また、ポンプインペラー６とタービンランナー７との内周側の部分には、タービンランナー７から送り出されたフルードの流動方向を選択的に変化させてポンプインペラー６に流入させるステータ８が配置されている。このステータ８は、一方向クラッチ９を介して所定の固定部１０に連結されている。
【００４０】
このトルクコンバータ３は、この発明におけるクラッチに相当するロックアップクラッチ（Ｌ／Ｕクラッチ）１１を備えている。ロックアップクラッチ１１は、ポンプインペラー６とタービンランナー７とステータ８とからなる実質的なトルクコンバータに対して並列に配置されたものであって、フロントカバー５の内面に対向した状態で前記タービンランナー７に保持されており、油圧によってフロントカバー５の内面に押し付けられることにより、入力部材であるフロントカバー５から出力部材であるタービンランナー７に直接、トルクを伝達するようになっている。なお、その油圧を制御することによりロックアップクラッチ１１のトルク容量を制御できる。
【００４１】
前後進切換機構２は、エンジン４の回転方向が一方向に限られていることに伴って採用されている機構であって、入力されたトルクをそのまま出力し、また反転して出力するように構成されている。図２３に示す例では、前後進切換機構２としてダブルピニオン型の遊星歯車機構が採用されている。
【００４２】
すなわち、サンギヤ１２と同心円上にリングギヤ１３が配置され、これらのサンギヤ１２とリングギヤ１３との間に、サンギヤ１２に噛合したピニオンギヤ１４とそのピニオンギヤ１４およびリングギヤ１３に噛合した他のピニオンギヤ１５とが配置され、これらのピニオンギヤ１４，１５がキャリヤ１６によって自転かつ公転自在に保持されている。そして、二つの回転要素（具体的にはサンギヤ１２とキャリヤ１６と）を一体的に連結する前進用クラッチ１７が設けられ、またリングギヤ１３を選択的に固定することにより、出力されるトルクの方向を反転する後進用ブレーキ１８が設けられている。
【００４３】
無段変速機構１は、従来知られているベルト式無段変速機構と同じ構成であって、互いに平行に配置された駆動プーリー１９と従動プーリー２０とのそれぞれが、固定シーブと、油圧式のアクチュエータ２１，２２によって軸線方向に前後動させられる可動シーブとによって構成されている。したがって各プーリー１９，２０の溝幅が、可動シーブを軸線方向に移動させることにより変化し、それに伴って各プーリー１９，２０に巻掛けたベルト２３の巻掛け半径（プーリー１９，２０の有効径）が連続的に変化し、変速比が無段階に変化するようになっている。そして、上記の駆動プーリー１９が前後進切換機構２における出力要素であるキャリヤ１６に連結されている。
【００４４】
なお、従動プーリー２０における油圧アクチュエータ２２には、無段変速機構１に入力されるトルクに応じた油圧（ライン圧もしくはその補正圧）が、図示しない油圧ポンプおよび油圧制御装置を介して供給されている。したがって、従動プーリー２０における各シーブがベルト２３を挟み付けることにより、ベルト２３に張力が付与され、各プーリー１９，２０とベルト１５との挟圧力（接触圧力）が確保されるようになっている。言い換えれば、挟圧力に応じたトルク容量が設定される。これに対して駆動プーリー１９における油圧アクチュエータ２１には、設定するべき変速比に応じた圧油が供給され、目標とする変速比に応じた溝幅（有効径）に設定するようになっている。
【００４５】
無段変速機構１の出力部材である従動プーリー２０がギヤ対２４およびディファレンシャル２５に連結され、さらにそのディファレンシャル２５が左右の駆動輪２６に連結されている。
【００４６】
上記の無段変速機構１およびエンジン４を搭載した車両の動作状態（走行状態）を検出するために各種のセンサーが設けられている。すなわち、エンジン４の回転数（ロックアップクラッチ１１の入力回転数）を検出して信号を出力するエンジン回転数センサー２７、タービンランナー７の回転数（ロックアップクラッチ１１の出力回転数）を検出して信号を出力するタービン回転数センサー２８、駆動プーリー１９の回転数を検出して信号を出力する入力回転数センサー２９、従動プーリー２０の回転数を検出して信号を出力する出力回転数センサー３０などが設けられている。
【００４７】
上記の前進用クラッチ１７および後進用ブレーキ１８の係合・解放の制御、および前記ベルト２３の挟圧力の制御、ならびにロックアップクラッチ１１の係合・解放を含むトルク容量の制御、さらには変速比の制御をおこなうために、変速機用電子制御装置（ＣＶＴ−ＥＣＵ）３１が設けられている。この電子制御装置３１は、一例としてマイクロコンピュータを主体として構成され、入力されたデータおよび予め記憶しているデータに基づいて所定のプログラムに従って演算をおこない、前進や後進あるいはニュートラルなどの各種の状態、および要求される挟圧力の設定、ならびに変速比の設定などの制御を実行するように構成されている。また、エンジン４を制御するエンジン用電子制御装置（Ｅ−ＥＣＵ）３２が設けられ、これらの電子制御装置３１，３２の間で相互にデータを通信するようになっている。
【００４８】
上記の無段変速機構１を含む駆動系統を対象としたこの発明に係る制御装置は、前記のロックアップクラッチ１１を無段変速機構１に対するいわゆるトルクヒューズとして機能させるように構成されている。これは、具体的には、トルクの変化が少ない定常走行状態あるいは準定常走行状態において、その時点に作用しているトルクで滑りが生じないように無段変速機構１のトルク容量およびロックアップクラッチ１１のトルク容量を設定し、かつ各々のトルク容量（伝達トルク）のいわゆる余裕すなわち滑りが生じない範囲で最低のトルク容量に安全を見込んで付与されている余裕トルク容量が、無段変速機構１におけるよりもロックアップクラッチ１１で小さくなるように設定する。これは、駆動系統に作用するトルクが増大（正方向に増大）もしくは低下（負方向に増大）した場合に、無段変速機構１に先行してロックアップクラッチ１１に滑りを生じさせて無段変速機構１の滑りを防止する制御である。
【００４９】
この発明に係る制御装置は、この種のクラッチを無段変速機構１に対していわゆるトルクヒューズとして機能させる制御を以下のようにして実行する。図１ないし図６はその制御例を示すフローチャートであり、図７はその制御を実行した場合の回転数、ロックアップクラッチ１１の係合圧（油圧）、無段変速機構１における伝達トルクを決定するベルト挟圧力の変化を示すタイムチャートである。
【００５０】
この発明では、ロックアップクラッチ１１の伝達トルクに余裕を与えるようにその係合圧（油圧）を設定するにあたり、先ず、ロックアップクラッチ１１が安定的にオン制御されていることから制御を始める。これが、制御の前提条件であり、したがって図１に示すように、先ず、その制御前提条件の成立が判断される（ステップＳ１１０）。
【００５１】
ここで、安定的にオン制御されているとは、その時点の通常の走行状態で滑りを生じることなく係合状態を維持する係合圧が設定され、しかもその係合圧が過渡的な圧力でなく、安定して維持されている状態である。後述するように、係合状態から滑りが生じる直前の状態もしくは滑りの開始の係合圧にまで係合圧を低下させる制御をおこなうからである。
【００５２】
この制御前提条件が成立する状態は、図７のｔ1 時点以前の状態として示してある。すなわちエンジン回転数Ｎe およびタービン回転数Ｎt がほぼ一定に安定しており、またロックアップクラッチ（Ｌ／Ｕクラッチ）の油圧が滑りの生じない程度に高い圧力に一定しており、さらにベルト挟圧力がベルト滑りの生じない程度に高い圧力に一定している。これは、通常の走行状態での制御内容であり、図７には「phase0」として示してある。なお、この「phase 」とは実行するべき制御内容に付した記号であり、図１ないし図６のフローチャートでは制御ステップの行き先を示すようにも機能する。
【００５３】
上記のステップＳ１１０で肯定的に判断された場合には、制御開始条件が成立したか否かが判断される（ステップＳ１２０）。制御開始条件が成立したことが判断された場合、すなわちステップＳ１２０で肯定的に判断された場合には、「phase 」が“１”とされる（ステップＳ１３０）。なお、既に制御開始条件が成立している場合には、ステップＳ１２０で否定的に判断され、その場合はステップＳ１３０を飛ばしてステップＳ１４０に進む。
【００５４】
ロックアップクラッチ１１をいわゆるトルクヒューズとして作用させる制御は、エンジン４から入力される駆動トルク（あるいは正トルク）や駆動輪２６側から掛かる負トルクが安定している場合に可能であり、したがって定常状態もしくは準定常状態を条件として制御をおこなう。これが制御開始条件である。その定常状態もしくは準定常状態とは、アクセル開度（図示しないアクセルペダルの踏み込み量）や無段変速機構１の出力側のトルク（例えば従動プーリー２０の軸トルク）の所定時間内の変化が所定範囲内であることである。そして、その所定範囲は車速に応じた範囲とすることができる。
【００５５】
つぎに、ステップＳ１４０においてその時点の入力トルクの領域が記憶され、またフラグＦ2 が“ＯＦＦ”とされて初期化される。ここで入力トルクの領域とは、各種の制御を入力トルク毎に制御することとしており、そのために区分された入力トルクについての区分である。したがって入力トルクの属する領域が変動した場合には、運転状態が変化したことになる。
【００５６】
入力トルク領域を記憶した後、制御終了条件が成立しているか否かが判断される（ステップＳ１５０）。この制御終了条件は、上記の制御開始条件とされているいずれかの状態が成立しなくなることであり、例えば車両の走行状態が定常状態もしくは準定常状態ではなくなったこと、あるいはロックアップクラッチ１１が滑りを生じて係合状態ではなくなったことなどである。
【００５７】
制御終了条件が成立していないことによりステップＳ１５０で否定的に判断された場合には、入力トルク領域が記憶値から変化したか否かが判断される（ステップＳ１６０）。ロックアップクラッチ１１の係合圧の学習を含む各種の制御を入力トルク毎におこなっているので、入力トルクが変化した場合には、それに応じた制御をおこなう必要がある。そのために、ステップＳ１６０の判断をおこなっている。したがってステップＳ１６０で肯定的に判断された場合には、フラグＦ2 が“ＯＮ”とされる（ステップＳ１７０）。
【００５８】
なお、入力トルクの変化は、例えばエンジン４が希薄燃焼可能なエンジンの場合には、その空燃比の変更によって生じ、また空調用コンプレッサーなどの補機類のＯＮ・ＯＦＦによってエンジン負荷を変化させるように構成されている場合には、その補機類のＯＮ・ＯＦＦの切り換えによって生じる。したがってステップＳ１６０の判断は、空燃比の変更の有無や補機類のＯＮ・ＯＦＦの切り替えの有無を判断するステップに変更してもよい。
【００５９】
上記のステップＳ１６０で肯定的に判断されてフラグＦ2 が“ＯＮ”とされた場合、あるいはステップＳ１６０で否定的に判断された場合には、「phase 」が“１”に設定されているか否かが判断される（ステップＳ１８０）。上記のように制御開始条件が成立した場合には「phase 」が“１”に設定されているので、このステップＳ１８０では肯定的に判断される。その結果、ロックアップクラッチ１１の係合圧（油圧）が第１の所定油圧PLU1に設定される（ステップＳ１９０）。これは、図７のｔ1 時点である。
【００６０】
この制御は、ロックアップクラッチ１１の滑りを発生させる制御の応答性を向上させるために、予め係合圧を下げる制御であり、係合圧の低下率を特には制約しないように、すなわち直ちに低下するように制御される。言い換えれば、係合圧の低下勾配が最も大きくなるように制御される。
【００６１】
そして、この第１所定油圧PLU1は、ロックアップクラッチ１１の特性のバラツキを考慮しても滑りの生じない程度の係合圧である。その圧力は、ロックアップクラッチ１１に対する入力トルクに基づいて求めた摩擦係数μや機構上の特性のバラツキを考慮して設定された油圧とすることができ、あるいは無段変速機構１における目標とする挟圧力から無段変速機構１の入力トルクを求め、その入力トルクに基づいて演算した油圧とすることができる。
【００６２】
ついで、所定時間が経過したか否かが判断される（ステップＳ２００）。この所定時間は、係合圧を第１所定油圧PLU1に低下させる指令信号を出力してから係合圧が第１所定油圧PLU1に安定するまでに要する時間であり、予め定められた一定値もしくは車両の状態に応じて設定されたマップ値などである。図７では、ｔ1 時点からｔ2 時点までの時間である。
【００６３】
このステップＳ２００で肯定的に判断された場合には、「phase1」の制御が終了したことになるので、「phase 」が“２”に設定される（ステップＳ２１０）。これは、図７のｔ2 時点である。そして、ロックアップクラッチ１１に滑りが生じたか否かが判断される（ステップＳ２２０）。なお、上記の所定時間が経過していないことによりステップＳ２００で否定的に判断された場合には、ステップＳ２１０を飛ばしてステップＳ２２０に進む。
【００６４】
このステップＳ２２０は、ロックアップクラッチ１１の状態を確認することを目的として実行される。すなわちロックアップクラッチ１１の伝達トルクに所定の余裕を設定する制御の過程でロックアップクラッチ１１に意図しない（もしくは想定しない）滑りが生じると、その制御を正常に実行できなくなるからである。また、ロックアップクラッチ１１の滑りの検出もしくは判定は、ロックアップクラッチ１１の入力側の回転数（例えばエンジン回転数Ｎe ）と出力側の回転数（例えばタービン回転数Ｎt ）とを比較することによりおこなうことができる。より具体的には、これらの回転数の差が予め定めたしきい値より大きくなったことによって、ロックアップクラッチ１１に滑りが生じたことを検出することができる。
【００６５】
制御が想定したとおりに進行すれば、ロックアップクラッチ１１に滑りが生じないので、ステップＳ２２０で否定的に判断される。これに対して、何らかの理由でロックアップクラッチ１１に意図しない滑りが生じた場合には、ステップＳ２２０で肯定的に判断される。その場合、「phase 」が“４”に設定され、かつフラグＦ0 が“ＯＮ”に設定される（ステップＳ２３０）。その後、ステップＳ２５０に進む。なお、ロックアップクラッチ１１に滑りが生じないことによりステップＳ２２０で否定的に判断された場合には、ステップＳ２３０を飛ばしてステップＳ２５０に進む。
【００６６】
ステップＳ２５０では、「phase 」が“２”に設定されているか否かが判断される。上述したように、ロックアップクラッチ１１の係合圧を上記の第１所定油圧PLU1に低下させる制御が実行された場合には、「phase 」が“２”に設定されている。すなわち、上記の所定時間が経過したことにより、ステップＳ２１０で「phase 」が“２”に設定され、かつロックアップクラッチ１１に意図しない滑りが生じていないことにより、上記のステップＳ２３０を飛ばしてステップＳ２５０に進んでいるので、「phase 」が“２”に設定されている。したがって、ステップＳ２５０で肯定的に判断される。その場合には、ロックアップクラッチ１１の係合圧（油圧）が、第２所定油圧PLU2に向けて、所定の低下率（第１スイープ勾配）DLPLU1で低下させられる（ステップＳ２６０）。これは、図７のｔ2 時点からｔ3 時点までの制御である。
【００６７】
この第１スイープ勾配DLPLU1は、上記の第１所定油圧PLU1に低下させる場合の低下率より小さいものの、ロックアップクラッチ１１の係合圧をある程度、迅速に低下させるように設定された低下率である。すなわち、第１所定油圧PLU1に設定するのと同様に、ロックアップクラッチ１１の滑りが生じる係合圧まで急激に低下させると、アンダーシュートによってロックアップクラッチ１１が過剰に滑ってしまい、あるいはロックアップクラッチ１１が解放してしまう。これを避けるために安定的な係合状態から徐々に係合圧を下げたのでは、応答性が悪くなる。そこで、最初にステップ的に係合圧を下げ、次にある程度大きい勾配で係合圧を低下させることとしたのである。
【００６８】
ついで、係合圧が第２所定油圧PLU2に到達したか否かが判断される（ステップＳ２７０）。この判断は、予め定めた時間が経過したことによって判断することができ、あるいは図示しない油圧センサの検出値に基づいて判断することができる。
【００６９】
また、第２所定油圧PLU2は、ロックアップクラッチ１１の伝達トルクの余裕がゼロの係合圧に対して所定値だけ高い油圧であり、ロックアップクラッチ１１に滑りが生じない圧力である。その一例を挙げれば、「phase0」の状態などの通常の走行時にロックアップクラッチ１１を解放状態（ＯＦＦ）から係合状態（ＯＮ）に切り替える際に設定される油圧である。
【００７０】
その油圧は、余裕伝達トルクに加えてエンジン４の慣性トルク分の油圧が加算されているので、その加算分を前記所定値とすることができるからである。あるいは、第２所定油圧PLU2は、ロックアップクラッチ１１をＯＦＦ状態からＯＮ状態に切り替える際のロックアップ油圧とその時点の入力トルクに基づいて求まる必要係合油圧との差を、現時点の入力トルクから求まる必要係合油圧に加算して補正した油圧とすることができる。
【００７１】
ロックアップクラッチ１１の係合圧が上記の第２所定油圧PLU2に到達することによりステップＳ２７０で肯定的に判断されると、つぎの制御に進むために「phase 」が“３”に設定される（ステップＳ２８０）。ついで、その時点のロックアップクラッチ１１に対する入力トルクが、後述する学習値を得られている領域に入っているか否かが判断される（ステップＳ２９０）。なお、係合圧が第２所定圧PLU2に到達していないことによりステップＳ２７０で否定的に判断された場合には、つぎの制御に進ませないようにするために、ステップＳ２８０を飛ばしてステップＳ２９０に進む。
【００７２】
ここで説明している制御は、ロックアップクラッチ１１の係合圧を伝達トルクに所定の余裕が生じる油圧に制御するためのものであり、そのために先ずはその余裕がゼロの状態を判定する必要があるが、その余裕がゼロの状態に相当する係合圧は、ロックアップクラッチ１１に対する入力トルク毎に異なっている。そこで、伝達トルクについての所定の余裕を与える係合圧が求められた場合には、これを、その時点の入力トルクに対応させて記憶することにより、係合圧の学習をおこなうこととしてある。その学習は、後述するとおりである。したがって、既に学習値が得られている場合には、それを利用することにより不必要な制御を省略できるので、その時点の入力トルクが、学習値の得られているトルク領域に入っているか否かを判断することとしたのである。
【００７３】
したがって、その時点の入力トルクが、学習値の得られているトルク領域に入っていることによりステップＳ２９０で肯定的に判断された場合には、それに応じた制御に進むために「phase 」が“６”に設定され（ステップＳ３００）、ついでステップＳ３１０に進む。なお、その時点の入力トルクが、学習値の得られているトルク領域に入っていないことによりステップＳ２９０で否定的に判断された場合には、学習値を利用した制御に進めないので、ステップＳ２９０を飛ばしてステップＳ３１０に進む。
【００７４】
このステップＳ３１０およびこれに続くステップＳ３２０は、前述したステップＳ２２０およびそれに続くステップＳ２３０と同様の制御ステップである。すなわち、上記のステップＳ２９０あるいはステップＳ３００に至る過程で、ロックアップクラッチ１１の係合圧が低下させられ、また入力トルクが変化することもあるので、ロックアップクラッチ１１に滑りが生じたか否かが判断される（ステップＳ３１０）。
【００７５】
そして、ロックアップクラッチ１１の滑りが生じたことによりこのステップＳ３１０で肯定的に判断された場合には、その滑りが意図しないもの（あるいは想定していないもの）であるから、その滑りに対応した制御に進むために「phase 」が“４”に設定され、かつフラグＦ0 が“ＯＮ”に設定される（ステップＳ３２０）。その後、ステップＳ１２０に進む。なお、ロックアップクラッチ１１に滑りが生じないことによりステップＳ３１０で否定的に判断された場合には、ステップＳ３２０を飛ばしてステップＳ３３０に進む。
【００７６】
ステップＳ３３０では、「phase 」が“３”に設定されているか否かが判断される。上述したように、ロックアップクラッチ１１の係合圧を上記の第２所定油圧PLU2に低下させる制御が実行された場合には、「phase 」が“３”に設定されている。その状態で、入力トルクが学習値の得られていない領域であれば、ステップＳ３００での「phase 」の書き換えがおこなわれず、また意図しない滑りが生じていない場合には、ステップＳ３２０での「phase 」の書き換えがおこなわれないので、「phase 」が“３”になっており、したがってステップＳ３３０で肯定的に判断される。その場合には、ロックアップクラッチ１１の係合圧（油圧）が、所定の低下率（第２スイープ勾配）DLPLU2で低下させられる（ステップＳ３４０）。これは、図７のｔ3 時点からｔ4 時点までの制御である。
【００７７】
この第２スイープ勾配DLPLU2は、前述した第１スイープ勾配DLPLU1より小さい低下率である。すなわち、ロックアップクラッチ１１の係合圧を低下させているので、油圧のわずかな変化でロックアップクラッチ１１に滑りが生じ易く、したがってその滑りが過大にならないようにするために係合圧の低下率を小さく設定したのである。言い換えれば、油圧のアンダーシュートあるいはそれに起因する過大な滑りもしくはロックアップクラッチ１１の解放を回避するためである。
【００７８】
ついで、その時点のロックアップクラッチ１１に対する入力トルクが、後述する学習値を得られている領域に入っているか否かが判断される（ステップＳ３５０）。このステップＳ３５０は、前述したステップＳ２９０と同様の判断ステップであり、係合圧についての学習値が既に得られている場合には、それを利用するためである。
【００７９】
したがってこのステップＳ３５０で肯定的に判断された場合には、学習値を利用した制御に進むために、「phase 」が“６”に設定される（ステップＳ３６０）。ついで、ステップＳ３７０に進む。これとは反対に、ロックアップクラッチ１１に対する入力トルクが学習値の得られていない領域のトルクであれば、「phase 」を書き換えることなく、ステップＳ３７０に進む。
【００８０】
上記のステップＳ３４０による油圧の低下制御は、係合状態にあったロックアップクラッチ１１に滑りを生じさせるための油圧低下制御における最終段階の制御であり、したがってステップＳ３７０では、ロックアップクラッチ１１に滑りが生じたか否かが判断される。この判断は、前述したステップＳ２２０やステップＳ３１０におけるのと同様に、入力側の回転数と出力側の回転数とを比較し、もしくはその回転数差を所定のしきい値と比較することによりおこなうことができる。より具体的には、このステップＳ３７０で検出するロックアップクラッチ１１の滑りは、係合圧を僅かずつ低下させることにより生じる微少な滑りであり、具体的には、ロックアップクラッチ１１の入力側の回転数と出力側の回転数との回転数差が、予め定めた所定回転数（例えば５０ｒｐｍ）以上の状態が、予め定めた所定時間（例えば５０ｍｓ）継続したことによって、ロックアップクラッチ１１の滑りを検出することができる。
【００８１】
ロックアップクラッチ１１に微少滑りが生じることによりステップＳ３７０で肯定的に判断された場合には、つぎの制御に進むために、「phase 」が“４”に設定される（ステップＳ３８０）。そして、ステップＳ３９０に進む。これとは反対にロックアップクラッチ１１に未だ滑りが生じないことによりステップＳ３７０で否定的に判断された場合に、つぎの制御に進めないので、「phase 」を書き換えずに（ステップＳ３８０を飛ばして）、ステップＳ３９０に進む。
【００８２】
このステップＳ３９０では、「phase 」が“４”に設定されているか否かが判断される。ロックアップクラッチ１１の係合圧を上記の第２スイープ勾配DLPLU2で低下させることにより、ロックアップクラッチ１１が想定したとおりに滑りを生じると、ステップＳ３８０で「phase 」が“４”に設定されるので、ステップＳ３９０で肯定的に判断される。
【００８３】
この状態は、ロックアップクラッチ１１の係合圧が、伝達トルクの余裕がゼロの係合圧よりも僅かに下回った状態である。したがってロックアップクラッチ１１の滑りが検出された後に、第３スイープ勾配（油圧の増加率）DLPLU3で係合油圧が増大させられる（ステップＳ４００）。これは、ロックアップクラッチ１１を微少滑り状態から再係合させるための制御であり、伝達トルクの余裕がゼロの状態で再係合させるために、その第３スイープ勾配DLPLU3は最小の勾配に設定される。すなわち、ロックアップクラッチ１１を係合させる油圧が、極めて僅かずつ昇圧される。これは、図７におけるｔ4 時点からｔ5 時点までの制御である。
【００８４】
ついで、ロックアップクラッチ１１がトルク容量を持ち始めたか否かが判断される（ステップＳ４１０）。この判断は、具体的には、ロックアップクラッチ１１の入力回転数であるエンジン回転数Ｎe と出力回転数である無段変速機構１の入力回転数Ｎinとの差の変化率Δ（Ｎe −Ｎin）が予め定めた判断基準値DNEINより小さいか否かを判断することによりおこなわれる。すなわち、ロックアップクラッチ１１に作用するトルクに対してロックアップクラッチ１１のトルク容量が小さい場合には、滑りが生じて入力回転数と出力回転数との差が増大し、また反対に入力されるトルクに対してトルク容量が十分な大きさであれば、ロックアップクラッチ１１が完全に係合するように滑り回転数が低下する。
【００８５】
したがって上記の判断基準値DNEINを例えばゼロもしくは負の値としておけば、ステップＳ４１０で肯定的に判断されることにより、滑りが収束に向かっていることを検出できる。そして、その滑りの収束は、ロックアップクラッチ１１に作用するトルクに対してトルク容量（すなわち係合圧）が必要十分な値であることに基づいているので、その時点のトルク容量すなわち係合圧が、ロックアップクラッチ１１が滑りを生じることなく再係合する圧力となる。
【００８６】
また、ステップＳ４１０で肯定的に判断される時点では、ロックアップクラッチ１１の滑りが収束に向かっているものの、滑りが終了していないので、回転変動に伴う大きな慣性トルクは生じていないから、その時点のロックアップクラッチ１１の係合圧は、実質的に過渡的な慣性トルクを含まないトルクに対応する係合圧となっている。言い換えれば、ロックアップクラッチ１１を再係合させるのに必要とする最小限の係合圧に相当する。したがってこの時点の係合圧が、この発明における「クラッチが再係合する係合圧」に相当する。
【００８７】
したがってステップＳ４１０で肯定的に判断された場合には、フラグＦ1 が“ＯＮ”か否かが判断され（ステップＳ４２０）、そのフラグＦ1 が“ＯＦＦ”であることによりこのステップＳ４２０で否定的に判断された場合には、その時点のロックアップクラッチ１１の係合圧PLUEXCに所定の余裕圧を付与した係合圧から、その時点に出力されているロックアップクラッチ１１の係合圧指令値PLUTTを減算して学習値DPLU1が求められ、同時にフラグＦ1 が“ＯＮ”とされる（ステップＳ４３０）。その後、ステップＳ４４０に進む。ここで、上記の「所定の余裕圧の付与」は、ステップＳ４１０で肯定的に判断された時点の係合圧に所定の係数ＳＦ（＞１）を掛けた値を求めることでもよく、あるいは予め定めた余裕圧を加算することでもよい。
【００８８】
なお、上記のフラグＦ1 は、学習値DPLU1が算出されることにより“ＯＮ”とされるフラグであるから、既に学習値DPLU1が算出されていれば、上記のステップＳ４２０で肯定的に判断される。その場合、学習値DPLU1を再度算出することなく（すなわちステップＳ４３０を飛ばして）ステップＳ４４０に進む。また、ロックアップクラッチ１１の入出力回転数の差の変化率Δ（Ｎe −Ｎin）が判断基準値DNEIN以上であることによりステップＳ４１０で否定的に判断された場合にも、ステップＳ４４０に進む。
【００８９】
このステップＳ４４０では、ロックアップクラッチ１１の係合判定が成立したか否か、すなわちロックアップクラッチ１１が係合したか否かが判断される。伝達トルクの余裕がゼロであれば、ロックアップクラッチ１１の入力回転数と出力回転数との差がなくなるが、これは、伝達トルクの余裕が過大である場合と同じであるから、伝達トルクの余裕がゼロの状態の再係合を検出することは、必ずしも正確にはおこなえない。そのため、上記の第３スイープ勾配DLPLU3で係合圧を昇圧している状態で、ロックアップクラッチ１１の入力回転数と出力回転数との回転数差が所定値（例えば５０ｒｐｍ）より小さい状態が所定時間（例えば１００ｍｓ）継続した場合に、ロックアップクラッチ１１の再係合の判定が成立する。これは、図７のｔ5 時点である。なお、この時点におけるロックアップクラッチ１１の係合圧は、入力トルクに応じて設定されている係合圧である。
【００９０】
こうして「phase4」の制御が終了したことになるので、つぎの制御に進むために、「phase 」が“５”に設定される（ステップＳ４５０）。これに続けて前述したフラグＦ0 が“ＯＮ”か否かが判断される（ステップＳ４６０）。このフラグＦ0 は、前述したように、係合圧の制御の過程で意図しない（もしくは想定しない）ロックアップクラッチ１１の滑りが検出された場合に“ＯＮ”に設定される（ステップＳ２３０，Ｓ３２０）から、ステップＳ４６０では、ロックアップクラッチ１１が意図しない滑りの後に再係合したか否かを判断していることになる。
【００９１】
したがってステップＳ４６０で肯定的に判断された場合には、意図しないロックアップクラッチ１１の滑りに対応した前記「phase3」の制御をおこなうために、「phase 」が“３”に設定され、またフラグＦ0 が“ＯＦＦ”に設定される（ステップＳ４７０）。その後、ステップＳ４９０に進む。
【００９２】
一方、ロックアップクラッチ１１が意図した滑りの後に再係合したことによりステップＳ４６０で否定的に判断された場合には、フラグＦ2 が“ＯＮ”か否かが判断される（ステップＳ４８０）。すなわち、入力トルクが領域を渡って変化したか否かが判断される。このステップＳ４８０で肯定的に判断された場合には、入力トルクが変化し、係合圧の学習の前提とする状態が変化したことになるので、ステップＳ４７０に進んで前記「phase3」の制御をおこなうために、「phase 」が“３”に設定され、またフラグＦ0 が“ＯＦＦ”に設定される。すなわちロックアップクラッチ１１を解放させた後、再係合させる。係合圧の学習を再度おこなうためである。これに対してステップＳ４８０で否定的に判断された場合、すなわち入力トルクの変動が生じていない場合には、ステップＳ４９０に進む。
【００９３】
ステップＳ４９０では、「phase 」が“５”に設定されているか否かが判断される。上記のように係合圧をゆっくり低下させることによりロックアップクラッチ１１が微少滑りを生じ、その後に係合圧を最小勾配で増大させたことによりロックアップクラッチ１１の再係合の判定が成立すれば、「phase 」が“５”に設定されているので、ステップＳ４９０で肯定的に判断される。すなわち、係合圧の変化に伴うロックアップクラッチ１１の挙動が想定したとおりに変化すると、「phase5」の制御に進むことになる。
【００９４】
ステップＳ４９０で肯定的に判断されると、ロックアップクラッチ１１の係合油圧が、「phase4」の終了時点（図７のｔ5 時点）における油圧、すなわちロックアップクラッチ１１の再係合が判定された時点の油圧（入力トルクに相当する油圧）に設定される（ステップＳ５００）。そして、所定時間が経過したか否かが判断される（ステップＳ５１０）。これは、図７におけるｔ5 時点からｔ6 時点までの間であり、ロックアップクラッチ１１の係合油圧をｔ5 時点の油圧に安定させるための予め定めた時間である。
【００９５】
所定時間が経過することによりステップＳ５１０で肯定的に判断された場合には、前述した学習値DPLU1 が予め定めた所定範囲内か否かが判断される（ステップＳ５２０）。この判断は、例えば、算出された学習値DPLU1 を所定の判断基準値と比較することによっておこなうことができ、あるいは所定数のトルク領域での学習値の平均との大小を比較し、その差が大きい場合に所定範囲を外れていると判断することによりおこなうことができ、さらには継続して得られた学習値DPLU1 の平均値に基づいて判断することとしてもよい。
【００９６】
油圧制御系統の異常やロックアップクラッチ１１の摩擦材の異常あるいはトルクコンバータ３のフルードの変化などが生じていなければ、学習値DPLU1 が所定の範囲内の値に収まるが、異常が生じているとその影響で学習値が極端に大きくなるなどの事態が生じる。すなわちステップＳ５２０では学習が正常におこなわれたか否かが判断されることになる。
【００９７】
学習値DPLU1 が所定範囲内に収まっていることによりステップＳ５２０で肯定的に判断された場合には、つぎの制御に進むために、「phase 」が“６”に設定される（ステップＳ５３０）。そして、上記の学習値DPLU1 が記憶される（ステップＳ５４０）。
【００９８】
すなわち、ロックアップクラッチ１１に一旦滑りを生じさせた後、ロックアップクラッチ１１が再係合する係合圧に所定の余裕圧を付与した係合圧と、入力トルクに応じた係合圧として予め設定もしくは記憶されている係合圧との差が、ロックアップクラッチ１１の係合圧を補正するための値として、上記の学習値DPLU1 が記憶される。
【００９９】
なお、この学習値DPLU1は、入力トルクを所定の複数の領域に分割し、各領域毎に記憶し、マップとして保持する。したがって前述したステップＳ２９０やステップＳ３５０での判断は、このようにして得られた学習値の有無に基づく判断である。
【０１００】
一方、学習値DPLU1 が所定範囲を超えていることによりステップＳ５２０で否定的に判断された場合には、再度、学習をおこなうために「phase」が“３”に設定される（ステップＳ５５０）。また、所定範囲を超えた値であっても得られた学習値DPLU1を無段変速機構１の挟圧力の制御に反映させるために、前述したステップＳ４３０で得られた学習値DPLU1 が仮学習値として記憶される（ステップＳ５６０）。そして、この仮学習値DPLU1 の平均値の絶対値が予め定めた所定値以上か否かが判断される（ステップＳ５７０）。このステップＳ５７０で肯定的に判断された場合には、仮学習値DPLU1 が大きく偏っていることになるので、フラグＦ3 が“ＯＮ”とされる（ステップＳ５８０）。
【０１０１】
これに対してステップＳ５７０で否定的に判断された場合には、予め定めた所定値を超える仮学習値DPLU1 の数が所定数以上か否かが判断される（ステップＳ５９０）。すなわち平均値としては所定値以下であるが、過大もしくは過小の仮学習値DPLU1 が多いか否かが判断される。この判断結果が肯定的であれば、何らかの異常があるものと考えられるので、ステップＳ５８０に進んでフラグＦ3 が“ＯＮ”とされる。反対に否定的に判断された場合には、フラグＦ3 が“ＯＦＦ”とされる（ステップＳ６００）。すなわち、仮学習値DPLU1 を無段変速機構１の挟圧力に反映させる制御をおこなわない。
【０１０２】
上記のステップＳ５４０もしくはステップＳ５８０あるいはステップＳ６００を経た後に、ステップＳ６１０に進む。また、所定時間が経過していないことによりステップＳ５１０で否定的に判断された場合には、直ちにステップＳ６１０に進み、この場合は、「phase 」は書き換えられずに“５”に維持される。
【０１０３】
さらに、この時点においても意図しないロックアップクラッチ１１の滑りが生じたか否かが判断される。これがステップＳ６１０の制御である。これは、前述したステップＳ２２０やステップＳ３１０と同様の判断ステップであり、したがってこのステップＳ６１０で肯定的に判断された場合には、その滑りに対応した制御に進むために「phase 」が“４”に設定され、かつフラグＦ0 が“ＯＮ”に設定される（ステップＳ６２０）。その後、ステップＳ６３０に進む。なお、ロックアップクラッチ１１に滑りが生じないことによりステップＳ６１０で否定的に判断された場合には、ステップＳ６２０を飛ばしてステップＳ６３０に進む。
【０１０４】
ステップＳ６３０では、「phase 」が“６”に設定されているか否かが判断される。上述したように、ロックアップクラッチ１１が再係合する係合圧に所定の余裕圧を付与した係合圧と、その時点の入力トルクに応じて指令もしくは設定されている係合圧との差が学習値DPLU1 として記憶されており、その学習値DPLU1 に異常がない場合には、「phase」が“６”に設定されているので、ロックアップクラッチ１１の意図しない滑りが検出されない限り、ステップＳ６３０で肯定的に判断される。
【０１０５】
その場合には、ロックアップクラッチ１１の係合圧として、入力トルクに基づいて求まる係合圧PLUTT に、その補正値として上記の学習値DPLU1 を加算（学習値DPLU1 が負の値であれば、減算）してロックアップクラッチ１１の係合圧が求められる（ステップＳ６４０）。すなわち予め得られている係合圧が、上記の学習値DPLU1 によって補正される。その結果、ロックアップクラッチ１１の係合圧として、その時点の入力トルクに対して伝達トルクに余裕がない係合圧（余裕がゼロの油圧）に、予め定められている所定の余裕油圧を加算した油圧であって、実際の無段変速機構１あるいは駆動系統の状態を反映した油圧が設定される。これは、図７のｔ6 時点での制御である。その余裕油圧DPLU2 は、定常的もしくは準定常的な走行状態でロックアップクラッチ１１に滑りが生じるおそれがなく、また定常的もしくは準定常的な走行状態で作用するトルクを超えるトルクが作用した場合には、ロックアップクラッチ１１に滑りが生じる程度の油圧である。
【０１０６】
ロックアップクラッチ１１の係合油圧を上記のように設定している状態でロックアップクラッチ１１に対する入力トルクが変化することがあるので、上記のステップＳ６４０に続けて、入力トルクが未学習領域に入ったか否か、すなわち上記の学習値が得られていない入力トルクに変化したか否かが判断される（ステップＳ６５０）。その時点の状況は、ロックアップクラッチ１１が滑りを生じることなく係合しており、かつその係合圧は伝達トルクの余裕の小さい油圧である。
【０１０７】
したがってステップＳ６５０で肯定的に判断された場合には、再度、微少滑りを生じさせて学習をおこなうために、「phase2」の制御を実行することになる。すなわち「phase 」が“２”に設定される（ステップＳ６６０）。ついでステップＳ６７０に進む。なお、入力トルクが学習値の得られている領域に入っていることによりステップＳ６５０で否定的に判断された場合には、「phase 」を変更することなく、直ちにステップＳ６７０に進む。
【０１０８】
この時点においても意図しないロックアップクラッチ１１の滑りが生じたか否かが判断される。これがステップＳ６７０の制御である。これは、前述したステップＳ２２０やステップＳ３１０、ステップＳ６１０と同様の判断ステップであり、したがってこのステップＳ６７０で肯定的に判断された場合には、その滑りに対応した制御に進むために「phase 」が“４”に設定され、かつフラグＦ0 が“ＯＮ”に設定される（ステップＳ６８０）。その後、ステップＳ６９０に進む。なお、ロックアップクラッチ１１に滑りが生じないことによりステップＳ６７０で否定的に判断された場合には、ステップＳ６８０を飛ばしてステップＳ６９０に進む。
【０１０９】
このステップＳ６９０では、「phase」が“６”に設定されているか否かが判断される。この判断結果が否定的の場合には、このルーチンを一旦終了する。これに対して肯定的に判断された場合には、前述した仮学習値DPLU1 を無段変速機構１の挟圧力に反映させるべきか否かが判断される（ステップＳ７００）。具体的には、前述したフラグＦ3 が“ＯＦＦ”か否かが判断される。学習値DPLU1 が所定の範囲に入っていなくても、その平均値の絶対値が所定値以内であったり、あるいは絶対値が所定値を超える個数が少ないなどのいわゆる異常の判定が成立しない場合には、フラグＦ3 が“ＯＦＦ”にセットされている（ステップＳ６００）。したがってステップＳ７００で肯定的に判断された場合には、仮学習値DPLU1 を無段変速機構１の挟圧力の制御に反映する必要がないので、無段変速機構１のベルト挟圧力が、伝達トルクに所定の余裕を与える圧力に低下させられる（ステップＳ７１０）。その挟圧力は、図７に示すように、伝達トルクの余裕がゼロの圧力に、予め定めた所定値を加えた圧力である。なお、こうして設定される無段変速機構１での伝達トルクの余裕は、ロックアップクラッチ１１における伝達トルクの余裕より大きく、したがって駆動トルクや負トルクなどが変化した場合には、ロックアップクラッチ１１が無段変速機構１に先行して滑りを生じる。
【０１１０】
一方、フラグＦ3 が“ＯＮ”に設定されていてステップＳ７００で否定的に判断された場合には、前述した仮学習値DPLU1 に基づいて無段変速機構１のベルト挟圧力が補正される（ステップＳ７２０）。なお、この補正は、無段変速機構１の伝達トルクに所定の余裕を与える圧力として予め定められている値を増大補正するものであってもよく、あるいは上記の伝達トルクに余裕を与える圧力に低下させる制御自体を禁止するものであっもよい。また、仮学習値DPLU1 に基づくベルト挟圧力補正が、ベルト挟圧力を増大側に補正することになる場合にのみ、ステップＳ７２０の補正をおこなうこととしてもよい。何らかの異常に基づく誤った低下補正を回避して無段変速機構１での滑りを防止するためである。
【０１１１】
なお、図１に示すステップＳ１１０で否定的に判断された場合、およびステップＳ１５０で肯定的に判断された場合、すなわち制御前提条件が成立しない場合および制御終了条件が成立した場合には、「phase」が“０”に設定される（ステップＳ２４０）。その場合、直ちに図６に示すステップＳ６９０に進むが、ここで否定的に判断されるので、このルーチンを終了する。その場合、ロックアップクラッチ１１の係合圧（伝達トルク）を低下させ、また無段変速機構１の挟圧力（伝達トルク）を低下させるいわゆるトルクヒューズ制御が終了もしくは禁止され、それぞれの係合圧や挟圧力が通常時の圧力に増大させられる。これは図７のｔ7 時点の状態である。
【０１１２】
したがって上記の制御をおこなうこの発明の制御装置によれば、無段変速機構１に対して直列に連結されているロックアップクラッチ１１などのクラッチを再係合させる係合圧に所定の余裕圧を付与した係合圧を求め、その係合圧と予め設定されている係合圧との差を求めるなど、前記余裕圧の付与された係合圧に基づいてクラッチの係合圧の補正値を学習するので、無段変速機構１やこれを含む駆動系統の実際の状態を反映した係合圧でクラッチを係合させることができる。すなわちクラッチを無段変速機構１に対していわゆるトルクヒューズとして機能させる場合に、そのクラッチの係合圧を適正化することができる。そのため、ロックアップクラッチ１１などのクラッチの滑りが繰り返し生じたり、それに伴って駆動系統の動力の伝達効率が低下して燃費が悪化するなどの事態を未然に回避することができる。
【０１１３】
また、上記の図１ないし図６に示す制御を実行するように構成した場合には、ロックアップクラッチ１１が再係合する係合圧として、実質的に慣性トルクを含まないトルクに対応する係合圧が求められるので、この点においても、クラッチの係合圧を適正化することができる。
【０１１４】
さらに、学習値が所定範囲を超えていて偏りがある場合には、無段変速機構１のベルト挟圧力など伝達トルクを設定する制御量に、前記学習値の偏りを反映させるので、無段変速機構１で滑りが生じる伝達トルクに対する伝達トルクの余裕量を、これに直列に配列されたクラッチの伝達トルクの余裕量より常時大きく設定できる。その結果、クラッチをいわゆるトルクヒューズとして確実に機能させることができる。特に、無段変速機構１の伝達トルクの補正を増大補正に限ることとすれば、誤学習や異常を伴う学習などによって無段変速機構１の伝達トルクを低下させる事態が生じても、無段変速機構１の伝達トルクが低下させられないので、無段変速機構１での滑りを未然に防止もしくは抑制することができる。
【０１１５】
さらにまた、定常的あるいは準定常的な走行状態でエンジントルクや駆動輪側の負トルクが急激に変化した場合には、ロックアップクラッチ１１が無段変速機構１に先行して滑りを生じるので、無段変速機構１に滑りが生じることを確実に防止することができる。そして、そのような無段変速機構１の滑りを防止しつつ、その挟圧力を可及的に低くすることができるので、無段変速機構１での動力の伝達効率を向上させて、燃費を改善することができる。
【０１１６】
なお、上述した図１ないし図６に示すルーチンは、所定の短時間毎に繰り返し実行される。したがってその過程では、学習値が既に得られている領域に、その時点の入力トルクが入っていることがあり、その場合には以下のように制御される。
【０１１７】
すなわち入力トルクが学習値の得られている領域に入っていると、図２に示すステップＳ２９０で肯定的に判断され、「phase 」が“６”に設定される（ステップＳ３００）。この判断は、「phase1」において係合圧を第１所定油圧PLU1にステップ的に低下させた後、「phase2」で第１スイープ勾配DLPLU1で係合圧を低下させている途中で実行される。
【０１１８】
上記のステップＳ３００で「phase 」が“６”に設定された場合、「phase 」を判断するステップＳ３３０、ステップＳ３９０、ステップＳ４９０のいずれでも否定的に判断される。そのため、直ちにステップＳ６３０に進み、ここで肯定的に判断される。このステップＳ６３０以降の制御は、既に説明したとおりである。
【０１１９】
したがって学習値が既に得られている場合には、入力トルクに基づく第１所定油圧PLU1を設定する「phase1」の制御が実行された後、直ちに学習値DPLU1で補正した係合圧に低下させられる（ステップＳ６４０）。その場合、設定するべき係合油圧が、ロックアップクラッチ１１の滑りが生じる係合油圧に近いので、油圧のアンダーシュートによるロックアップクラッチ１１の解放もしくは過剰な滑りを防止するために、なまし制御を施して係合油圧の低下制御を実行することが好ましい。
【０１２０】
このように学習値が得られている場合には、その学習値を利用してロックアップクラッチ１１の係合圧を低下制御できるので、上述した「phase2」ないし「phase5」の制御を省略して迅速な制御が可能になる。
【０１２１】
また、上述した一連の制御の過程で入力トルクが変化し、その結果、入力トルクが学習値の得られている領域から学習値の得られていない領域に入ったり、その反対に学習値の得られていない領域から学習値の得られている領域に入る場合がある。前者の場合には、学習値を利用した制御をできないので、学習をおこなう必要があり、また後者の場合には、学習値を得るための制御が不要になるとともに、学習値を利用した制御が可能になる。
【０１２２】
具体的に説明すると、学習値が得られているトルク領域から学習値の得られていないトルク領域に、ロックアップクラッチ１１の入力トルクが変化した場合、上述したステップＳ２９０で否定的に判断され、あるいはステップＳ３５０で否定的に判断される。したがって伝達トルクの余裕がゼロの係合油圧に所定の余裕油圧を加えた係合油圧に設定する以前に、入力トルクが学習値の得られていないトルク領域に変化した場合には、「phase1」ないし「phase6」の一連の制御が前述した順に実行される。
【０１２３】
これに対して、ロックアップクラッチ１１の伝達トルクに所定の余裕を生じさせる係合油圧を設定した後に、入力トルクが学習値の得られていないトルク領域に変化すると、前記ステップＳ６５０で肯定的に判断される。それに伴って「phase 」が“２”に設定されるので、「phase2」の制御が実行される。これは、図２に示すステップＳ２５０で肯定的に判断された場合の制御であり、ロックアップクラッチ１１に微少滑りが生じるように係合圧を第１スイープ勾配DLPLU1で低下させるとともに、第２所定油圧PLU2に達した後は、第２スイープ勾配DLPU2で係合圧を低下させ、その結果、ロックアップクラッチ１１の微少滑りが検出された後に、第３スイープ勾配DLPLU3で昇圧し、再係合が検出された後に、その時点の油圧に所定油圧を加えた係合圧が設定される。これは、前述した一連の制御のステップＳ２５０以降の制御である。
【０１２４】
一方、入力トルクが学習値の得られていないトルク領域から学習値の得られているトルク領域に変化した場合の例として、前記第１所定油圧PLU1にステップダウンした後（「phase1」の制御が完了した後）、ロックアップクラッチ１１の入力トルクが、学習値の得られているトルク領域に入ると、図１に示す上記のステップＳ２９０で肯定的に判断される。この場合の制御は、上記の学習値が得られている場合と同様であって、直ちにステップＳ６３０に進んで、ロックアップクラッチ１１の伝達トルクに所定の余裕を与える学習値に基づく係合油圧の設定が実行される（ステップＳ６４０）。
【０１２５】
また、第２所定油圧PLU2まで係合圧を低下させた後に、入力トルクが学習値の得られているトルク領域に変化すると、図３に示すステップＳ３５０で肯定的に判断される。その結果、「phase 」が“６”に設定されるので、直ちにステップＳ６３０に進んで、学習値に基づいて、伝達トルクに所定の余裕が生じるように係合圧が設定される。
【０１２６】
なお、ロックアップクラッチ１１の微少滑りが検出された後は、前述した一連の制御の順に従って各制御が実行される。すなわち、前述した一連の制御と変わるところはない。
【０１２７】
このようにこの発明に係る上記の制御装置では、入力トルクがいわゆる既学習領域と未学習領域との間で変化した場合、係合圧の制御の進行状態に応じて、その後の制御が選択される。そのため、上述した係合圧の学習をおこなうことができると同時に、必要としない無駄な制御を省略することができる。
【０１２８】
ところで、ロックアップクラッチ１１の係合油圧を、伝達トルクに所定の余裕が生じるように制御する上記の一連の過程の中で、係合油圧の低下や入力トルクの変化などに起因してロックアップクラッチ１１の滑りが生じることがある。これは、例えばステップＳ２２０、ステップＳ３１０、ステップＳ３７０、ステップＳ６１０、ステップＳ６７０で検出される。
【０１２９】
したがって係合圧を第２所定油圧PLU2まで低下させる過程、あるいはその第２所定圧PLU2になっている状態でロックアップクラッチ１１に滑りが生じると、ステップＳ２２０もしくはステップＳ３１０で肯定的に判断される。これらいずれの場合であっても、「phase 」が“４”に設定され、またフラグＦ0 が“ＯＮ”に制御される（ステップＳ２３０、ステップＳ３２０）。その結果、図４に示すステップＳ３９０に進んでこれ以降の制御が順に実行され、係合圧がゆっくり昇圧される。
【０１３０】
その結果、一旦、滑りの生じたロックアップクラッチ１１が再係合する（ステップＳ１２８）が、この場合、フラグＦ0 が“ＯＮ”に設定されているので、「phase 」が“３”に設定され（ステップＳ４６０、ステップＳ４７０）、したがって制御は「phase3」に戻る。そのため、図５に示すステップＳ５３０に至らないので、学習がおこなわれない。これが学習の禁止に相当する。
【０１３１】
このように、制御の過程で意図しないロックアップクラッチ１１の滑りが生じた場合には、ロックアップクラッチ１１を係合状態に戻し、再度、係合圧の低下、微少滑りの検出、昇圧などの上述した一連の制御が実行される。また、同時に伝達トルクの余裕がゼロとなる係合圧の学習、あるいはこれを含めた伝達トルクに所定の余裕が生じる係合圧の学習が禁止される。
【０１３２】
また、第２所定油圧PLU2から低下させている場合にロックアップクラッチ１１の滑りが生じた場合、図３に示すステップＳ３７０で肯定的に判断される。これは、意図した滑りであるから、「phase 」を“４”に設定し（ステップＳ３８０）、その後、前述した一連の制御が実行される。すなわち上記の一連の制御と変わるところはない。
【０１３３】
さらに、ロックアップクラッチ１１が再係合した後に意図しない滑りが生じた場合には、ステップＳ６１０で肯定的に判断される。この場合は、「phase 」が“４”に設定され、またフラグＦ0 が“ＯＮ”に制御される（ステップＳ６２０）ので、図４に示すステップＳ３９０に進んでこれ以降の制御が順に実行され、係合圧がゆっくり昇圧される。これは、上述した例と同様である。
【０１３４】
このように、上記の制御では、ロックアップクラッチ１１の滑りが意図せずに生じた場合には、その時点の制御の状況に応じて次におこなうべき制御を選択するので、ロックアップクラッチ１１が過剰に滑ったり、あるいは不必要な制御を繰り返すなどの不都合を回避することができる。
【０１３５】
また、図１ないし図６に示すフローチャートにおいて、「phase 」についての判断ステップＳ１８０，Ｓ２５０，Ｓ３３０，Ｓ３９０，Ｓ４９０，Ｓ６３０で否定的に判断された場合には、その判断がおこなわれたステップ以降の「phase 」についての判断ステップに順に進む。そして、「phase 」についての最終の判断ステップＳ６９０で否定的に判断された場合には、図１ないし図６に示すルーチンから抜ける。
【０１３６】
上述したロックアップクラッチ１１を無段変速機構１に対するいわゆるトルクヒューズとして機能させる制御は、無段変速機構１のベルト挟圧力を可及的に低下させてその動力伝達効率を向上させ、かつ突発的な外乱によっても無段変速機構１に滑りが生じないようにする制御である。したがってその制御の開始条件は、例えば、車両が平坦路を所定のエンジン負荷以下で定速走行しているなどの定常走行状態あるいは準定常走行状態であることや、ロックアップクラッチ１１もしくは無段変速機構１に滑りが生じていないことなどである。したがってこの制御開始条件が成立しなくなった場合、すなわち制御終了条件が成立すると、ロックアップクラッチ１１の係合圧や無段変速機構１のベルト挟圧力の低下制御を終了してそれらの圧力を増大させることになる。
【０１３７】
制御終了に伴うロックアップクラッチ１１の係合圧の増大制御は、以下に述べるように実行する。図８および図９はその制御を説明するためのフローチャートであって、前述した図１ないし図６に示すフローチャートの一部を変更もしくは付加したものである。具体的に説明すると、図８において、制御終了条件が成立することによりステップＳ１５０で肯定的に判断され、その場合には、「phase」が“６”に設定されているか否かが判断される（ステップＳ７３０）。すなわち、ロックアップクラッチ１１を再係合させる係合圧に所定の余裕圧を付与した係合圧でロックアップクラッチ１１を係合させている状態か、あるいはそのための学習値DPLU1 を求める学習制御中かが判断される。
【０１３８】
このステップＳ７３０で否定的に判断された場合には、前述した学習値を求める制御が実行されている状態であるから、その学習制御中におけるロックアップクラッチ１１の滑りの発生を検出するために、ロックアップクラッチ１１の滑りの有無が判断される（ステップＳ７４０）。ロックアップクラッチ１１に滑りが生じていないことによりステップＳ７４０で否定的に判断された場合には、ロックアップクラッチ１１の係合圧が最大圧に設定され、かつ「phase」が“０”に設定される（ステップＳ７５０）。このステップＳ７５０は、図１に示すステップＳ２４０に替わるものである。その後、前述した図６に示すステップＳ６９０に進む。
【０１３９】
すなわち、制御終了条件が成立した際にロックアップクラッチ１１に滑りが生じていなければ、ロックアップクラッチ１１の係合圧を、制御装置の元圧であるライン圧もしくはその補正圧に増大させて、ロックアップクラッチ１１を完全係合状態とする。その場合、ロックアップクラッチ１１が完全係合状態になることに伴う回転変化が生じないので、慣性力やそれに起因するショックが発生することはない。
【０１４０】
一方、ロックアップクラッチ１１に滑りが生じていてステップＳ７４０で肯定的に判断された場合には、フラグＦ4 が“ＯＮ”に設定され（ステップＳ７６０）、その後、「phase」が“７”に設定される（ステップＳ７７０）。なお、上記のステップＳ７３０で肯定的に判断された場合にも、ステップＳ７７０に進んで「phase」が“７”に設定される。そして、前述した図１に示すステップＳ１８０に進む。
【０１４１】
この「phase7」の制御内容を図９にフローチャートで示してある。この図９に示すフローチャートは、前述した図６におけるステップＳ６８０とステップＳ６９０との間に挿入されるフローチャートであって、先ず、「phase」が“７”に設定されているか否かが判断される（ステップＳ６８１）。このステップＳ６８１で否定的に判断された場合には、直ちにステップＳ６９０に進み、設定されている「phase」に従った制御が実行される。これとは反対にステップＳ６８１で肯定的に判断された場合には、フラグＦ4 が“ＯＮ”か否かが判断される（ステップＳ６８２）。
【０１４２】
このフラグＦ4 は、前述したように、制御終了条件が成立した後にロックアップクラッチ１１に滑りが検出された場合に“ＯＮ”とされるフラグである。したがってこのステップＳ６８２で否定的に判断された場合には、予め定めた所定時間が経過したか否かが判断される（ステップＳ６８３）。その所定時間は、前述したステップＳ１５０で制御終了条件の成立が判断された場合、無段変速機構１のベルト挟圧力が通常時の圧力（最大圧力）に増大させられるので、この増大制御が完了するまで（すなわちベルト挟圧力が最大圧に安定するまで）の時間として設定されている。これは、図１０のタイムチャートにおけるｔ7 時点からｔ8 時点までの時間である。その結果、このｔ7 時点では、ロックアップクラッチ１１の係合圧が増大させられないので、無段変速機構１のベルト挟圧力の増大が先行し、その後にロックアップクラッチ１１の係合圧が増大させられることになる。
【０１４３】
したがってこのステップＳ６８３で否定的に判断された場合には、入力トルクに応じて設定された係合圧PLUTT を前記学習値DPLU1 で補正した係合圧でロックアップクラッチ１１を係合させる制御が継続される（ステップＳ６８４）。その後、ステップＳ６９０に進む。その場合、前述した図８でステップＳ７３０、ステップＳ７４０、ステップＳ７５０の順に判断および制御が実行されるので、ロックアップクラッチ１１の係合圧が最大圧まで増大させられて、ロックアップクラッチ１１が完全係合状態となる。なお、滑りが生じていないので、完全係合状態とすることに伴うショックが発生することはない。
【０１４４】
これに対してロックアップクラッチ１１に滑りが生じていてステップＳ６８２で肯定的に判断された場合や、前記の所定時間が経過してステップＳ６８３で肯定的に判断された場合には、ロックアップクラッチ１１の係合判定が成立したか否かが判断される（ステップＳ６８５）。すなわち、ロックアップクラッチ１１を再係合させる油圧に所定の余裕圧を付与した係合圧でロックアップクラッチ１１が滑っていないか否かが判断される。
【０１４５】
ロックアップクラッチ１１に滑りが生じていることによりステップＳ６８５で否定的に判断された場合には、ロックアップクラッチ１１の係合圧が徐々に増大させられる（ステップＳ６８６）。すなわちスイープアップされる。その後、ステップＳ６９０に進む。その場合、前述したステップＳ７４０で肯定的に判断されるので、ロックアップクラッチ１１の係合圧のスイープアップが継続される。
【０１４６】
ロックアップクラッチ１１の係合圧を徐々に増大させた結果、ロックアップクラッチ１１が係合すると、ステップＳ６８５で肯定的に判断される。その場合、フラグＦ4 が“ＯＦＦ”とされ（ステップＳ６８７）、その後、ステップＳ６９０に進む。この場合、前述したステップＳ７４０で否定的に判断されるので、ロックアップクラッチ１１の係合圧が最大値に増大させられる（ステップＳ７５０）。すなわち、ロックアップクラッチ１１は滑りを生じていない状態で完全係合状態に設定されるので、回転変動やそれに起因するショックが生じることはない。なお、他の制御は、図１ないし図６に示す制御と同様である。
【０１４７】
したがってロックアップクラッチ１１をいわゆるトルクヒューズとして機能させる制御を終了する際に、ロックアップクラッチ１１の係合圧を最大値に増大させる場合、ロックアップクラッチ１１に先行して無段変速機構１のベルト挟圧力を増大させるので、制御の終了過渡状態であっても、ロックアップクラッチ１１の伝達トルクのいわゆる余裕を無段変速機構１の伝達トルクのいわゆる余裕より小さい状態に維持でき、その結果、制御の終了過渡時に入力トルクの変動が生じても、ロックアップクラッチ１１に滑りを生じさせて無段変速機構１に作用するトルクが過大になることを防止もしくは抑制し、無段変速機構１での滑りを回避することができる。
【０１４８】
また、ロックアップクラッチ１１の係合圧を最大値にするにあたり、滑りが生じている場合に、係合圧をスイープアップするので、ロックアップクラッチ１１が急激に係合したり、それに伴ってショックが生じたりすることを未然に回避することができる。
【０１４９】
ところで、上述した制御を実行するように構成されたこの発明の制御装置では、ロックアップクラッチ１１などのいわゆるトルクヒューズとして機能とするクラッチの係合圧を一旦低下させた後、その係合圧を次第に増大させて再係合させる場合、そのクラッチの入力回転数と出力回転数との差が次第に小さくなる状態での圧力を、いわゆる余裕がゼロの係合圧（滑りが生じない範囲での最小の係合圧）として採用している。すなわちロックアップクラッチ１１の滑りが生じている。これに対していわゆる余裕のある伝達トルクは、ロックアップクラッチ１１に滑りがない状態の伝達トルクであり、上記の再係合する係合圧に所定の余裕圧を付与した係合圧で得られるトルク容量である。
【０１５０】
しかしながら、上記のロックアップクラッチ１１などの摩擦式クラッチの摩擦係数は、入出力回転数の偏差（滑り率）によって異なっているのが一般的であるから、入出力回転数差が生じている状態におけるいわゆる余裕がゼロの係合圧と、入出力回転数差が生じていない状態におけるいわゆる余裕がゼロの係合圧とは、摩擦係数の相違が原因となって、異なったものとなる。
【０１５１】
その摩擦係数と滑り率との一般的な関係を示すと図１１のとおりである。すなわち入出力回転数差が生じている係合判定時の摩擦係数μ1 に対して、入出力回転数差が生じいていない完全係合時の摩擦係数μ0 が小さい値を示す。したがって、係合判定時の係合圧を、完全係合時のいわゆる余裕がゼロの係合圧として採用すると、係合圧が不足気味になる。言い換えれば、完全係合時におけるいわゆる伝達トルクの余裕が不足することになる。したがって、これらの摩擦係数μ1 ，μ0 の比率（μ1 ／μ0 ）を、「μ勾配倍率」と定義すると、係合判定時の係合圧をそのμ勾配倍率によって補正することにより、完全係合時における滑りに対するいわゆる余裕がゼロの係合圧を正確なものとすることができ、ひいてはいわゆる余裕圧を付与した係合圧を過不足が生じることなく正確に設定することができる。
【０１５２】
なお、ロックアップクラッチ１１の摩擦係数に影響する要因（摩擦係数の変化因子）は多様であって、潤滑油（フルード）の温度、その劣化の程度や組成などによってロックアップクラッチ１１の摩擦係数が変化する。その一例を示すと、図１２は、油温との関係を示しており、油温が高いほど、摩擦係数μが大きくなる。また、図１３は、フルードの劣化の程度との関係を示しており、劣化したフルードを使用した場合に摩擦係数μが大きくなり、またμ勾配倍率が小さくなる。
【０１５３】
この発明の制御装置は、係合判定時と完全係合時とのロックアップクラッチ１１の摩擦係数の相違を考慮して、滑りに対していわゆる所定の余裕のある伝達トルクを設定するために、係合圧の補正値の学習を以下のようにして実施することができる。すなわち、上述した各制御例では、前述したステップＳ４３０において、係合判定時の係合圧PLUEXCに所定の余裕圧を付与し（具体的には安全率ＳＦを掛け）、その値から係合圧指令値PLUTTを減算して学習値DPLU1を求めている。そこで、図１４に示す制御例では、係合判定時の係合圧PLUEXCを、完全係合時の摩擦係数に対応したものとするために、その係合圧PLUEXCをμ勾配倍率でわり算し、その値に安全率ＳＦを掛けるなどの所定の余裕圧を付与し、さらにその値から係合圧指令値PLUTTを減算して学習値DPLU1を求めている（ステップＳ４３１）。なお、同時にフラグＦ1 を“ＯＮ”に設定し、その後、ステップＳ４４０に進むようになっている。
【０１５４】
そのステップＳ４３１で採用するμ勾配倍率は、その時点の温度や使用しているフルードの劣化の程度などの所定の物理量に応じて適宜に採用される。これは、例えば予め用意したマップから読み出した値であってよい。なお、他の制御は、前述した図１ないし図６に示す制御、あるいはこれらに図８および図９に示す制御を付加もしくは置換した制御と同様である。
【０１５５】
したがって図４に示すステップＳ４３０の制御を図１４に示すステップＳ４３１に制御に置き換えた制御をおこなうように構成した場合には、ロックアップクラッチ１１の係合圧に実際の摩擦係数を反映させることができるので、ロックアップクラッチ１１の係合圧を適正化することができる。それに伴い、ロックアップクラッチ１１をいわゆるトルクヒューズとして機能させる制御を安定してかつ良好におこなうことができる。
【０１５６】
この発明は、無段変速機構１に対してトルクの伝達方向で直列に連結されているクラッチの係合圧を油圧によって制御する制御装置に適用することができる。この種の油圧式の制御装置においては、オイルの粘性が油圧の制御性に影響を及ぼすことがあり、その一般的傾向は、油温が低い場合には、粘度が高くなって油圧制御の精度が低下する。
【０１５７】
そこで、この発明の制御装置は、油温を制御の開始条件あるいは終了条件とすることができる。その制御例を図１５および図１６に示してある。図１５は前述したステップＳ１２０の制御内容を具体的に示すものであって、制御前提条件が成立していることにより前記ステップＳ１１０で肯定的に判断された場合、定常走行の判定中か否か、すなわち定常走行の判定が成立しているか否かが判断される（ステップＳ１２１）。この定常走行状態の判定は、例えば無段変速機構１の入力トルクと変速比とから算出した従動プーリー２０の軸トルクが予め定めた所定範囲内であることなどを判断することによりおこなうことができる。
【０１５８】
このステップＳ１２１で否定的に判断された場合には、開始条件が成立していないことになるので、前述したステップＳ１２０で否定的に判断された場合と同様に、「phase」の設定などの制御をおこなうことなく、ステップＳ１４０に進む。すなわち制御を開始しない。
【０１５９】
これに対してステップＳ１２１で肯定的に判断された場合には、その時点の入力トルクが、学習値を既に得られている領域に入っているか否かが判断される（ステップＳ１２２）。その判断結果が肯定的である場合、油温が予め定めた第１基準値THOH1 以上か否かが判断される（ステップＳ１２３）。この第１基準値THOH1 は比較的低い温度であり、このステップＳ１２３で肯定的に判断された場合には、制御開始条件が成立したことになり、制御が開始される。すなわち学習値が既に得られていれば、無段変速機構１や駆動系統の実際の状態を反映した係合圧制御をおこなうことができるので、油温が相対的に低くて油圧制御精度が特には高くなくても、ロックアップクラッチ１１をいわゆるトルクヒューズとして機能させる制御を実行できる。
【０１６０】
そのため、ステップＳ１２３で肯定的に判断された場合には、「phase」が“０”に設定されているか否かが判断される（ステップＳ１２４）。このステップＳ１２４で否定的に判断された場合には、設定されている「phase」に応じた制御をおこなうために、ステップＳ１４０に進む。これとは反対に「phase」が“０”に設定されていることによりステップＳ１２４で肯定的に判断された場合には、制御を順におこなうために、ステップＳ１３０に進んで「phase」が“１”に設定される。
【０１６１】
一方、ステップＳ１２２で否定的に判断された場合、すなわちその時点の入力トルクが、学習値の得られていない領域に入っている場合には、油温が第２基準値THOH2 以上か否かが判断される（ステップＳ１２５）。この第２基準値THOH2 は前記第１基準値THOH1 より高い温度である。
【０１６２】
このステップＳ１２５で肯定的に判断された場合には、制御開始条件が成立したことになり、制御が開始される。すなわち学習値が未だ得られていなければ、ロックアップクラッチ１１の係合圧を滑りに対して所定の余裕が生じるように正確に設定することが困難であるから、油温が高いことにより油圧の制御が安定している状態で制御が開始される。
【０１６３】
そのため、ステップＳ１２５で肯定的に判断された場合には、上記のステップＳ１２４に進む。これに対してステップＳ１２５で否定的に判断された場合には、制御開始条件が成立していないことになるので、「phase」の設定などの制御をおこなうことなく、ステップＳ１４０に進む。すなわち制御を開始しない。
【０１６４】
したがって図１５に示すように制御開始条件を判定することにより、学習値が既に得られている場合には、油温が低い場合であっても、ロックアップクラッチ１１の係合圧を低下させ、それに併せて無段変速機構１のベルト挟圧力を下げて効率の良い運転をおこなうことができる。言い換えれば、ロックアップクラッチ１１のいわゆるトルクヒューズ制御に伴う動力伝達効率の良好な運転の期間を長くして燃費の向上を図ることができる。また、学習値が得られていない場合には、油温がある程度高い状態で制御を開始するので、係合圧の学習制御およびその後のロックアップクラッチ１１の係合圧の設定制御を安定してかつ正確におこなうことができる。
【０１６５】
つぎに図１６に示す終了条件の判定制御について説明する。図１６は前述したステップＳ１５０の制御内容を具体的に示すものであって、入力トルクの領域が記憶（ステップＳ１４０）された後、定常走行の判定中か否か、すなわち定常走行の判定が成立しているか否かが判断される（ステップＳ１５１）。この判定は、上記のステップＳ１２１での判定と同様にしておこなうことができる。
【０１６６】
このステップＳ１２１で否定的に判断された場合には、終了条件が成立したことになるので、前述した図８に示すステップＳ１５０で肯定的に判断された場合と同様に、ステップＳ７３０に進む。すなわち終了制御をおこなう。
【０１６７】
これに対してステップＳ１５１で肯定的に判断された場合には、その時点の入力トルクが、学習値を既に得られている領域に入っているか否かが判断される（ステップＳ１５２）。その判断結果が肯定的である場合、油温が予め定めた第３基準値THOL1 より低いか否かが判断される（ステップＳ１５３）。この第３基準値THOL1 は比較的低い温度（＜THOH1 ）であり、このステップＳ１５３で肯定的に判断された場合には、制御終了条件が成立したことになり、ステップＳ７３０に進んで終了制御がおこなわれる。
【０１６８】
すなわち学習値が既に得られていれば、無段変速機構１や駆動系統の実際の状態を反映した係合圧制御をおこなうことができるので、油温が相対的に低くて油圧制御精度が特には高くなくても、ロックアップクラッチ１１をいわゆるトルクヒューズとして機能させる制御を実行できる。そのため、油温が低い状態まで制御が継続される。
【０１６９】
これに対して、油温が高いことによりステップＳ１５３で否定的に判断された場合には、終了条件が成立していないことになるので、前述したステップＳ１６０に進んで、ロックアップクラッチ１１をいわゆるトルクヒューズとして機能させる制御が継続される。
【０１７０】
一方、ステップＳ１５２で否定的に判断された場合、すなわちその時点の入力トルクが、学習値の得られていない領域に入っている場合には、油温が第４基準値THOL2 より低いか否かが判断される（ステップＳ１５４）。この第４基準値THOL2 は前記第３基準値THOL1 より高い温度（＜THOH2 ）である。
【０１７１】
このステップＳ１５４で肯定的に判断された場合には、制御終了条件が成立したことになり、したがってステップＳ７３０に進んで終了制御がおこなわれる。すなわち学習値が未だ得られていなければ、ロックアップクラッチ１１の係合圧を滑りに対して所定の余裕が生じるように正確に設定することが困難であるから、油温が相対的に高い状態であっても係合圧の制御が不安定になる可能性があるので、制御が終了される。
【０１７２】
これに対してステップＳ１５４で否定的に判断された場合には、制御終了条件が成立していないことになるので、ステップＳ１６０に進んでロックアップクラッチ１１をいわゆるトルクヒューズとして機能させる制御が継続される。
【０１７３】
したがって図１６に示す制御を実行するように構成すれば、学習値が既に得られていることにより、ロックアップクラッチ１１をいわゆるトルクヒューズとして機能させ、それに伴って無段変速機構１のベルト挟圧力を低下させることのできる期間を低油温の状態まで拡大し、その結果、燃費を向上させることができる。また、学習値が得られていない場合には、油温が比較的高い状態であっても制御を終了するので、ロックアップクラッチ１１をいわゆるトルクヒューズとする制御が不安定になったり、それに伴ってロックアップクラッチ１１や無段変速機構１に滑りが生じることを回避もしくは抑制することができる。
【０１７４】
ところで、摩擦式のクラッチにおける不都合としてジャダーが知られている。ジャダーは、クラッチの係合と滑りとが繰り返し生じ、その結果、出力側のトルクが大きく変動して車体の振動などを引き起こす現象であり、これは、摩擦係数が完全係合時と滑り発生時とで異なっていることに起因するものと思われる。したがってジャダーは、滑り状態と完全係合状態との間での移行時に生じる。
【０１７５】
この発明で対象としている制御は、無段変速機構１に対していわゆるトルクヒューズとして機能するクラッチを、係合状態から一旦滑り状態に移行させ、その後に係合圧を増大させて再係合させ、その再係合のための係合圧に所定の余裕圧を付与してクラッチをトルクヒューズとして機能させる。これは、クラッチの係合圧を学習する制御を含んでおり、その過程でクラッチを係合状態から滑り状態に移行させ、さらに滑り状態から係合状態に移行させるから、ジャダーの発生の可能性がある。そこでこの発明の制御装置では、ジャダーの発生履歴を制御の開始条件あるいは終了条件とすることが好ましい。図１７および図１８にその制御例を示してある。
【０１７６】
図１７は制御の開始条件を成立を判定するためのフローチャートであって、前述した図１５に示すフローチャートにジャダーの発生履歴の有無を判断するステップを加えたものである。すなわち、定常走行の判定中であることによりステップＳ１２１で肯定的に判断された場合には、ロックアップクラッチ１１が過去にジャダーを発生したことがあるか否かが判断される（ステップＳ１２６）。なお、そのジャダーの発生履歴は、入力トルクの領域毎に判断することとしてもよい。ジャダーの発生履歴があることによりこのステップＳ１２６で肯定的に判断された場合には、「phase」の設定などの制御を特におこなうことなくステップＳ１４０に進む。すなわち、前述したいずれの「phase」にも進まないので、制御が開始されない。
【０１７７】
これに対してジャダーの発生履歴がないことによりステップＳ１２６で否定的に判断された場合には、前述したステップＳ１２２に進み、図１５を参照して説明したとおり、ステップＳ１２２ないしステップＳ１２５の制御を実行する。
【０１７８】
したがって図１７に示す制御を実行するように構成されていれば、ロックアップクラッチ１１にジャダーの発生履歴がある場合、それをもって制御の禁止条件とされ、ロックアップクラッチ１１の係合圧を、滑りに対する余裕がゼロの圧力に所定の余裕圧を加えた圧力に設定し、もしくはそのための学習をおこなう制御が実行されないので、ロックアップクラッチ１１のジャダーを防止することができる。
【０１７９】
また、図１８は制御の終了条件の成立を判定するためのフローチャートであって、前述した図１６に示すフローチャートにジャダーの発生の履歴の有無を判断するステップを加えたものである。すなわち定常走行の判定中であることによりステップＳ１５１で肯定的に判断された場合、ロックアップクラッチ１１が過去にジャダーを発生したことがあるか否かが判断される（ステップＳ１５５）。なお、そのジャダーの発生履歴は、入力トルクの領域毎に判断することとしてもよい。ジャダーの発生履歴があることによりこのステップＳ１５５で肯定的に判断された場合には、直ちにステップＳ７３０に進んで終了制御が実行される。すなわち、ジャダーの発生履歴のあることが終了条件とされている。したがってそれ以降では、ロックアップクラッチ１１を一旦滑らせた後に再係合させる学習制御が実行されないので、ロックアップクラッチ１１のジャダーを防止することができる。
【０１８０】
なお、ジャダーの発生履歴がないことによりステップＳ１５５で否定的に判断された場合には、図１６を参照して説明したステップＳ１５２に進み、ステップＳ１５２ないしステップＳ１５４において油温についての終了条件の成立の判断およびその判断の結果に伴う制御が実行される。
【０１８１】
なお、前述した学習値DPLU1 が得られている領域にその時点の入力トルクが入っている場合、既に学習値DPLU1 が得られていることから判るように、ロックアップクラッチ１１をいわゆるトルクヒューズとして機能させることが可能であるから、その場合は、ジャダーの発生履歴の有無を判定せずに、制御を実行することとしてもよい。その例を図１９に示してあり、ここに示す例では、ジャダーの発生履歴の有無が、既学習領域でない場合に油温を第２基準値THOH2 と比較するステップＳ１２５の後に判断される（ステップＳ１２６）ようになっている。なお、ステップＳ１２５の前で判断するようにしても特に変わるところはない。
【０１８２】
したがって図１９に示す制御例では、学習値DPLU1 が既に得られている場合には、油温が第１基準値THOH1 以上であることを条件として、ロックアップクラッチ１１の係合圧についての学習制御が実行される。これに対して学習値が得られていない状態では、たとえ油温についての条件が満たされていても、ジャダーの発生履歴があればステップＳ１２６で肯定的に判断されるので、「phase」の設定などの制御がなくステップＳ１４０に進み、制御が開始されない。このように図１９に示す制御を実行する構成では、学習値が既に得られていれば、ロックアップクラッチ１１をいわゆるトルクヒューズとして機能させる制御およびそれに関連する学習制御が実行され、これに対して学習値が得られていない場合には、ジャダーの発生履歴が制御の禁止条件とされ、ロックアップクラッチ１１をいわゆるトルクヒューズとして機能させる制御が禁止される。
【０１８３】
また、図２０に示す例は、ジャダーの発生履歴を制御の終了条件とした例であり、図１８に示す制御例におけるステップＳ１５５の判断を、学習値が得られておらず、かつ油温が第４基準値THOL2 以上の場合におこなうように構成した例である。すなわち、油温がある程度高いことにより油圧の制御に支障がない場合であっても、ロックアップクラッチ１１にジャダーの発生履歴があると（ステップＳ１５５で肯定的に判断されると）、直ちにステップＳ７３０に進んで制御終了のための制御が開始される。その結果、それ以降は、ロックアップクラッチ１１を滑らせた後に再係合させる制御が実施されないので、ロックアップクラッチ１１にジャダーが発生することを防止もしくは抑制することができる。
【０１８４】
なお、学習値が得られている場合には、上記のステップＳ１５５を経由することがないので、ジャダーの発生履歴の有無が制御終了条件とはされない。したがってロックアップクラッチ１１をいわゆるトルクヒューズとして機能させ、それに伴って無段変速機構１のベルト挟圧力を低くして動力の伝達効率を向上させる機会が大きくなるので、燃費を向上させることができる。
【０１８５】
上述した制御例は、ジャダーの発生履歴があった場合には、制御を一律に禁止し、もしくは終了させる制御例であるが、ジャダーを回避できる場合には、ジャダーの発生履歴があっても、ロックアップクラッチ１１の係合圧についての学習を含む上記の制御を許可し、またその制御を終了することなく継続することとしてもよい。すなわち、摩擦式クラッチにおけるジャダーは、係合圧が、滑りの生じない範囲で最低の係合圧付近にある場合に発生しやすく、一旦発生すると、係合圧が僅かに変化した程度では、収束しない傾向がある。また、反対にそのような微妙な係合圧の状態にとどまらずに、係合圧が直ちに増大もしくは低下して変化する場合には、ジャダーが発生しにくい傾向がある。そこで、図２１に示す制御例および図２２に示す制御例では、ジャダーの発生履歴がある場合には、ロックアップクラッチ１１の係合圧を迅速に変化させてジャダーを発生しにくくし、それでもジャダーが生じる場合には、制御の開始を禁止し、また制御を終了するように構成してある。
【０１８６】
図２１に示す例は、前述した図１７に示すフローチャートの一部を変更したものであって、定常走行の判定が成立している状態でジャダーの発生履歴のあることが判断された場合（ステップＳ１２６で肯定的に判断された場合）、ロックアップクラッチ１１の係合圧を設定する油圧の変化勾配（スイープ勾配）を急にする要求が出力される（ステップＳ１２７）。このスイープ勾配は、前述した「phase2」ないし「phase4」におけるスイープ勾配DLPLU1，DLPLU2，DLPLU3であり、ステップＳ１２７ではこれらの値を大きくするように指令が出力される。
【０１８７】
ついで、油圧の変化勾配を大きくしてもジャダーが発生したか否かが判断される（ステップＳ１２８）。このステップＳ１２８で肯定的に判断された場合には、ロックアップクラッチ１１の係合圧を変化させる過程でジャダーが発生してしまうので、係合圧の学習を含む制御をおこなうことができない。したがってこの場合は、制御開始条件が成立しないとして、「phase」を設定するなどの処理をおこなうことなく直ちにステップＳ１４０に進む。すなわち制御を開始しない。
【０１８８】
これに対してステップＳ１２８で否定的に判断された場合には、ジャダーの発生履歴があるとしても係合圧のスイープ勾配を急にすることにより、ジャダーを回避できることになる。このような否定的な判断は、例えばジャダーの発生履歴が誤りであった場合や、フルードが新品に交換された場合などに成立することが考えられる。したがってこの場合は、ジャダーの発生履歴が制御開始の阻害要因にならないので、前述したステップＳ１２２に進み、それ以降のステップＳ１２３ないしステップＳ１２５の制御を、図１５あるいは図１９を参照して説明したとおりに実行する。
【０１８９】
したがって図２１に示す制御を実行するように構成した場合には、ジャダーの発生履歴があっても、ジャダーを回避できる場合には、ロックアップクラッチ１１の係合圧の学習を含む制御を開始し、その結果、滑りに対する伝達トルクのいわゆる余裕を無段変速機構１における滑りに対する伝達トルクのいわゆる余裕よりも小さくする制御を実行できる機会が増大するので、無段変速機構１での動力の伝達効率を高くして燃費を向上させることができる。
【０１９０】
一方、制御の終了条件の一つとして、油圧のスイープ勾配を急にしてもジャダーが発生するか否かが判断される。その例を図２２に示してあり、前述したステップＳ１５１で定常走行の判定中であることが判断された場合に、前述したステップＳ１２７の制御に基づいて油圧のスイープ勾配を急にしてもジャダーが発生するか否かが判断される（ステップＳ１５６）。そして、このステップＳ１５６で肯定的に判断された場合には、ジャダーの発生履歴があり、かつジャダーの発生を回避できないことになるので、この場合は制御の終了条件が成立したとして直ちにステップＳ７３０に進み、制御終了のための処理がおこなわれる。
【０１９１】
これに対してステップＳ１５６で否定的に判断された場合には、ジャダーを回避できるので、ステップＳ１５２に進み、それ以降のステップＳ１５３ないしステップＳ１５４の制御を、図１６あるいは図２０を参照して説明したとおりに実行する。なお、このような否定的な判断は、例えばジャダーの発生履歴が誤りであった場合や、フルードが新品に交換された場合などに成立することが考えられる。
【０１９２】
したがって、ジャダーの発生履歴があることのみによっては制御の終了条件が成立したとはされずに、ジャダーを回避できる場合には、ロックアップクラッチ１１の係合圧の学習を含む制御を継続する。その結果、滑りに対する伝達トルクのいわゆる余裕を無段変速機構１における滑りに対する伝達トルクのいわゆる余裕よりも小さくする制御を実行できる機会が増大するので、無段変速機構１での動力の伝達効率を高くして燃費を向上させることができる。
【０１９３】
ここで、上記の具体例とこの発明との関係を簡単に説明すると、ステップＳ４１０ないしステップＳ４３０の機能的手段が、この発明の学習値検出手段に相当し、ステップＳ５２０、ステップＳ５７０、ステップＳ５９０の機能的手段がこの発明の学習値偏り判定手段に相当し、さらにステップＳ７２０の機能的手段が、この発明のトルク容量補正手段に相当する。また一方、ステップＳ１５０の機能的手段が、この発明の終了検出手段に相当し、ステップＳ６８３、ステップＳ６８４、ステップＳ６８６、ステップＳ７５０の機能的手段が、この発明の係合圧増大手段に相当する。さらに、ステップＳ４３１およびステップＳ６４０の機能的手段が、この発明のクラッチ係合圧設定手段に相当し、ステップＳ１２２およびステップＳ１２３ならびにステップＳ１２５の機能的手段が、この発明の開始条件設定手段に相当する。そして、ステップＳ１２６およびステップＳ１５５の機能的手段が、この発明のジャダー発生履歴判定手段およびクラッチ係合圧制御禁止手段に相当し、ステップＳ１２２およびステップＳ１５２の機能的手段が、この発明の係合圧制御手段に相当し、またそしてステップＳ１２７およびステップＳ１２８ならびにステップＳ１５６の機能的手段が、この発明の係合圧変化勾配設定手段に相当する。
【０１９４】
なお、上記の具体例では、無段変速機構の入力側に直列に配置されたロックアップクラッチを例に採って説明したが、この発明におけるクラッチは、要は、無段変速機構に対してトルクの伝達方向で直列に配列されたクラッチであればよく、したがって無段変速機構の出力側に配置されたクラッチでもよく、またロックアップクラッチ以外のクラッチであってもよい。また、無段変速機構はベルト式に限らず、トラクション式の無段変速機構であってもよい。また、上記の具体例では、クラッチの摩擦係数の変化要因として油温および劣化の程度（使用期間）を挙げたが、この発明における摩擦係数に関連する物理量は、これら以外に適宜のものを採用することができる。さらに、上記の具体例では、滑りがゼロの係合圧に所定の余裕圧を付与した係合圧とその時点の入力トルクに基づいて出力されている係合圧との差を学習値とするように構成したが、この発明における係合圧の学習値は、クラッチが再係合する際の係合圧あるいはこれに所定の余裕圧を付与した係合圧であってもよい。またさらに、上記の具体例では、学習値が偏った場合に無段変速機構の挟圧力を増大補正するように構成したが、この発明では、学習値の偏りが低下したことを検出した場合に、その増大補正した挟圧力を低下させるように構成してもよい。
【図面の簡単な説明】
【０１９５】
【図１】この発明の制御装置による制御の一例を説明するためのフローチャートの一部を示す図である。
【図２】この発明の制御装置による制御の一例を説明するためのフローチャートの図１に続く部分を示す図である。
【図３】この発明の制御装置による制御の一例を説明するためのフローチャートの図２に続く部分を示す図である。
【図４】この発明の制御装置による制御の一例を説明するためのフローチャートの図３に続く部分を示す図である。
【図５】この発明の制御装置による制御の一例を説明するためのフローチャートの図４に続く部分を示す図である。
【図６】この発明の制御装置による制御の一例を説明するためのフローチャートの図５に続く部分を示す図である。
【図７】この発明による制御を実行した場合のロックアップクラッチの入力側および出力側の回転数の変化、ロックアップクラッチの係合油圧の変化、ベルト挟圧力の変化を示すタイムチャートである。
【図８】この発明の制御装置による制御の他の例を説明するためのフローチャートであって図１の一部を変更したフローチャートを示す図である。
【図９】この発明の制御装置による制御の他の例を説明するためのフローチャートであって図６の一部を変更したフローチャートを示す図である。
【図１０】図８および図９に示すフローチャートを含むルーチンで制御を実行した場合のタイムチャートである。
【図１１】クラッチの摩擦係数の特性を概念的に示す線図である。
【図１２】油温によるクラッチの摩擦係数の特性を概念的に示す線図である。
【図１３】劣化によるクラッチの摩擦係数の特性を概念的に示す線図である。
【図１４】この発明の制御装置による制御の他の例を説明するためのフローチャートであって図４の一部を変更したフローチャートを示す図である。
【図１５】油温を制御開始条件とした場合の制御開始条件の判定ルーチンの一例を示すフローチャートである。
【図１６】油温を制御終了条件とした場合の制御終了条件の判定ルーチンの一例を示すフローチャートである。
【図１７】ジャダーの発生履歴および油温を制御開始条件とした場合の制御開始条件の判定ルーチンの一例を示すフローチャートである。
【図１８】ジャダーの発生履歴および油温を制御終了条件とした場合の制御終了条件の判定ルーチンの一例を示すフローチャートである。
【図１９】ジャダーの発生履歴および油温を制御開始条件とした場合の制御開始条件の判定ルーチンの他の例を示すフローチャートである。
【図２０】ジャダーの発生履歴および油温を制御終了条件とした場合の制御終了条件の判定ルーチンの他の例を示すフローチャートである。
【図２１】ジャダーの発生履歴および油温を制御開始条件とした場合の制御開始条件の判定ルーチンの更に他の例を示すフローチャートである。
【図２２】ジャダーの発生履歴および油温を制御終了条件とした場合の制御終了条件の判定ルーチンの更に他のを示すフローチャートである。
【図２３】この発明に係る無段変速機構を含む駆動系統を模式的に示す図である。
【符号の説明】
【０１９６】
１…無段変速機構、  ３…トルクコンバータ、  ４…エンジン（動力源）、  １１…ロックアップクラッチ、  １９…駆動プーリー、  ２０…従動プーリー、  ２３…ベルト、  ２６…駆動輪、  ３１…変速機用電子制御装置（ＣＶＴ−ＥＣＵ）。
【図１】
2006038235.tif 000003
【図２】
2006038235.tif 000004
【図３】
2006038235.tif 000005
【図４】
2006038235.tif 000006
【図５】
2006038235.tif 000007
【図６】
2006038235.tif 000008
【図７】
2006038235.tif 000009
【図８】
2006038235.tif 000010
【図９】
2006038235.tif 000011
【図１０】
2006038235.tif 000012
【図１１】
2006038235.tif 000013
【図１２】
2006038235.tif 000014
【図１３】
2006038235.tif 000015
【図１４】
2006038235.tif 000016
【図１５】
2006038235.tif 000017
【図１６】
2006038235.tif 000018
【図１７】
2006038235.tif 000019
【図１８】
2006038235.tif 000020
【図１９】
2006038235.tif 000021
【図２０】
2006038235.tif 000022
【図２１】
2006038235.tif 000023
【図２２】
2006038235.tif 000024
【図２３】
2006038235.tif 000025
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、
前記クラッチが再係合する係合圧に所定の余裕圧を付与した係合圧で前記クラッチを係合させる制御の終了条件が成立したことを検出する終了検出手段と、
この終了検出手段によって前記終了条件が成立したことが検出された場合に、前記無段変速機構のトルク容量を増大させた後に前記クラッチの係合圧を前記滑りが生じないように増大させる係合圧増大手段と
を備えていることを特徴とする無段変速機構を含む駆動系統の制御装置。
【請求項２】
前記係合圧増大手段は、前記クラッチが滑り状態のときは前記係合圧を所定の勾配で次第に増大させるように構成されていることを特徴とする請求項１に記載の無段変速機構を含む駆動系統の制御装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
上の目的を達成するために、請求項１の発明は、無段変速機構に対して直列に配列されたクラッチの係合圧を、完全係合状態から滑りが生じるまで低下させた後、その係合圧を増大させて再係合させ、そのクラッチが再係合する係合圧に所定の余裕圧を付与した係合圧を求めて、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置であって、前記クラッチが再係合する係合圧に所定の余裕圧を付与した係合圧で前記クラッチを係合させる制御の終了条件が成立したことを検出する終了検出手段と、この終了検出手段によって前記終了条件が成立したことが検出された場合に、前記無段変速機構のトルク容量を増大させた後に前記クラッチの係合圧を前記滑りが生じないように増大させる係合圧増大手段とを備えていることを特徴とする制御装置である。
【手続補正７】
【補正対象書類名】明細書
【補正対象項目名】００１５
【補正方法】変更
【補正の内容】
【００１５】
請求項２の発明は、請求項１における前記係合圧増大手段が、前記クラッチが滑り状態のときは前記係合圧を所定の勾配で次第に増大させるように構成されていることを特徴とする制御装置である。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
したがって請求項１の発明によれば、クラッチにおける滑りが生じるトルクに対する伝達トルクの余裕量を、無段変速機構における滑りが生じるトルクに対する伝達トルクの余裕量より小さい状態に設定する制御の終了条件が成立すると、先ず、無段変速機構のトルク容量が増大させられ、その後に、クラッチのトルク容量が増大させられる。すなわち前記の終了条件は、例えば外乱トルクによるクラッチの滑りであり、その滑りを防止もしくは回避するべくそのトルク容量を増大させる場合には、それに先立って無段変速機構のトルク容量を増大させる。その結果、その過渡状態で外乱トルクが入力された場合には、クラッチに滑りが生じて無段変速機構に作用するトルクが制限されるので、無段変速機構の滑りを確実に回避もしくは防止することができる。
【手続補正２０】
【補正対象書類名】明細書
【補正対象項目名】００２８
【補正方法】変更
【補正の内容】
【００２８】
したがって請求項２の発明によれば、クラッチに滑りが生じている状態からその係合圧を増大させる場合、徐々に係合圧が増大させられる。そのため、クラッチの係合圧が増大して滑りが止まることに伴う回転数の変化が緩やかになり、ショックを抑制もしくは防止することができる。
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】０１９３
【補正方法】変更
【補正の内容】
【０１９３】
ここで、上記の具体例とこの発明との関係を簡単に説明すると、ステップＳ１５０の機能的手段が、この発明の終了検出手段に相当し、ステップＳ６８３、ステップＳ６８４、ステップＳ６８６、ステップＳ７５０の機能的手段が、この発明の係合圧増大手段に相当する。